(57)【要約】撮像装置は、第１構造体２０及び第２構造体４０から構成されており；第１構造体２０は、第１基板２１、第１基板２１に形成され、赤外線に基づき温度を検出する温度検出素子、信号線７１及び駆動線７２を備えており；第２構造体４０は、第２基板４１、及び、第２基板４１に設けられ、被覆層４３によって被覆された駆動回路を備えており；第１基板２１と第２電極４１とは積層されており；信号線７１は信号線接続部１００を介して駆動回路と電気的に接続されており、駆動線は駆動線接続部を介して駆動回路と電気的に接続されており、信号線接続部１００は、第１構造体２０に形成された第１信号線接続部１０２、及び、第２構造体４０に形成された第２信号線接続部１０６から成る。
2019069559.tif 000002
【特許請求の範囲】
【請求項１】
第１構造体及び第２構造体から構成されており、
第１構造体は、
第１基板、
第１基板に設けられ、赤外線に基づき温度を検出する温度検出素子、並びに、
温度検出素子に接続された信号線及び駆動線、
を備えており、
第２構造体は、
第２基板、及び、
第２基板に設けられ、被覆層によって被覆された駆動回路、
を備えており、
第１基板と第２基板とは積層されており、
信号線は、信号線接続部を介して、駆動回路と電気的に接続されており、
駆動線は、駆動線接続部を介して、駆動回路と電気的に接続されており、
信号線接続部は、第１構造体に形成された第１信号線接続部、及び、第２構造体に形成された第２信号線接続部から成り、
駆動線接続部は、第１構造体に形成された第１駆動線接続部、及び、第２構造体に形成された第２駆動線接続部から成る撮像装置。
【請求項２】
第１信号線接続部は、第１構造体に形成された第１Ａ接続孔から成り、
第２信号線接続部は、第２構造体に形成された第１Ｂ接続孔から成り、
第１駆動線接続部は、第１構造体に形成された第２Ａ接続孔から成り、
第２駆動線接続部は、第２構造体に形成された第２Ｂ接続孔から成り、
第１Ａ接続孔と第１Ｂ接続孔とは、一体となって接続され、第１接続孔を構成し、
第２Ａ接続孔と第２Ｂ接続孔とは、一体となって接続され、第２接続孔を構成する請求項１に記載の撮像装置。
【請求項３】
第１信号線接続部は、第１構造体に形成された第１Ａ接続孔、及び、第２構造体と対向する第１構造体の面に設けられ、第１Ａ接続孔に接続された第１Ａ接続端部から成り、
第２信号線接続部は、第２構造体に形成された第１Ｂ接続孔、及び、第１構造体と対向する第２構造体の面に設けられ、第１Ｂ接続孔に接続された第１Ｂ接続端部から成り、
第１駆動線接続部は、第１構造体に形成された第２Ａ接続孔、及び、第２構造体と対向する第１構造体の面に設けられ、第２Ａ接続孔に接続された第２Ａ接続端部から成り、
第２駆動線接続部は、第２構造体に形成された第２Ｂ接続孔、及び、第１構造体と対向する第２構造体の面に設けられ、第２Ｂ接続孔に接続された第２Ｂ接続端部から成り、
第１Ａ接続端部と第１Ｂ接続端部とは接続されており、
第２Ａ接続端部と第２Ｂ接続端部とは接続されており、
第１Ａ接続孔及び第１Ｂ接続孔は、第１接続孔を構成し、
第２Ａ接続孔及び第２Ｂ接続孔は、第２接続孔を構成する請求項１に記載の撮像装置。
【請求項４】
第１Ａ接続端部、第１Ｂ接続端部、第２Ａ接続端部及び第２Ｂ接続端部は、金属層又は合金層から成り、
第１Ａ接続端部と第１Ｂ接続端部とは接合されており、
第２Ａ接続端部と第２Ｂ接続端部とは接合されている請求項３に記載の撮像装置。
【請求項５】
第１Ａ接続端部と第１Ｂ接続端部とは、第１接合材料層を介して接続されており、
第２Ａ接続端部と第２Ｂ接続端部とは、第２接合材料層を介して接続されている請求項３に記載の撮像装置。
【請求項６】
第１Ａ接続孔は、
信号線に接続され、第２構造体から離れる方向に延びる第１Ａ接続孔・第１セグメント、
第１Ｂ接続孔に近づく方向に延びる第１Ａ接続孔・第２セグメント、並びに、
第１Ａ接続孔・第１セグメントと第１Ａ接続孔・第２セグメントとを接続する第１Ａ接続孔・第３セグメント、
から成り、
第２Ａ接続孔は、
駆動線に接続され、第２構造体から離れる方向に延びる第２Ａ接続孔・第１セグメント、
第２Ｂ接続孔に近づく方向に延びる第２Ａ接続孔・第２セグメント、並びに、
第２Ａ接続孔・第１セグメントと第２Ａ接続孔・第２セグメントとを接続する第２Ａ接続孔・第３セグメント、
から成る請求項２に記載の撮像装置。
【請求項７】
第１接続孔の有する静電容量は、第２接続孔の有する静電容量よりも大きい請求項２に記載の撮像装置。
【請求項８】
第１接続孔の平均断面積は、第２接続孔の平均断面積よりも大きい請求項２に記載の撮像装置。
【請求項９】
第１接続孔の数は、第２接続孔の数よりも多い請求項２に記載の撮像装置。
【請求項１０】
第１接続孔の長さは、第２接続孔の長さよりも長い請求項２に記載の撮像装置。
【請求項１１】
第１接続孔は、第１コア部、及び、第１接続孔の側壁と第１コア部との間に配設された第１外周部から構成されており、
第２接続孔は、第１コア部を構成する材料と同じ材料から構成された第２コア部、及び、第２接続孔の側壁と第２コア部との間に配設され、第１外周部を構成する材料と同じ材料から構成された第２外周部から構成されており、
第１外周部は、第２外周部よりも薄い請求項２に記載の撮像装置。
【請求項１２】
第１接続孔は、第１コア部、及び、第１接続孔の側壁と第１コア部との間に配設された第１外周部から構成されており、
第２接続孔は、第２コア部、及び、第２接続孔の側壁と第２コア部との間に配設された第２外周部から構成されており、
第１外周部を構成する材料の比誘電率の値は、第２外周部を構成する材料の比誘電率の値よりも大きい請求項２に記載の撮像装置。
【請求項１３】
第１の方向、及び、第１の方向とは異なる第２の方向に配列された複数の温度検出素子を備えており、
更に、第１の方向に沿って配設され、それぞれに複数の温度検出素子が接続された複数の駆動線、及び、第２の方向に沿って配設され、それぞれに複数の温度検出素子が接続された複数の信号線を備えており、
第１構造体は、温度検出素子を備えた温度検出素子アレイ領域、及び、温度検出素子アレイ領域を取り囲む周辺領域を有しており、
周辺領域において、信号線は、信号線接続部を介して駆動回路と電気的に接続されており、
周辺領域において、駆動線は、駆動線接続部を介して駆動回路と電気的に接続されている請求項１に記載の撮像装置。
【請求項１４】
第１の方向に配列されたＪ個（但し、Ｊ≧１）の温度検出素子を備えており、
更に、第１の方向に沿って配設され、それぞれに温度検出素子が接続されたＪ本の駆動線及びＪ本の信号線を備えており、
第１構造体は、温度検出素子を備えた温度検出素子アレイ領域、及び、温度検出素子アレイ領域を取り囲む周辺領域を有しており、
周辺領域において、信号線は、信号線接続部を介して駆動回路と電気的に接続されており、
周辺領域において、駆動線は、駆動線接続部を介して駆動回路と電気的に接続されている請求項１に記載の撮像装置。
【請求項１５】
温度検出素子と被覆層との間には、空所が設けられている請求項１に記載の撮像装置。
【請求項１６】
赤外線が入射する側には、赤外線吸収層が形成されており、
空所の底部に位置する被覆層の領域には、赤外線反射層が形成されている請求項１５に記載の撮像装置。
【請求項１７】
温度検出素子は、ｐｎ接合ダイオード、ボロメータ素子、サーモパイル素子、金属膜抵抗素子、金属酸化物抵抗素子、セラミック抵抗素子、サーミスタ素子から成る請求項１に記載の撮像装置。
【請求項１８】
駆動回路は、少なくとも、アナログ・フロント・エンド、アナログ−デジタル変換回路、水平走査回路及び垂直走査回路を備えており、
各信号線は、アナログ・フロント・エンド及びアナログ−デジタル変換回路を介して水平走査回路に接続されており、
各駆動線は、垂直走査回路に接続されている請求項１に記載の撮像装置。
【発明の詳細な説明】
【技術分野】
【０００１】
本開示は、撮像装置、より具体的には、赤外線に基づき温度を検出する温度検出素子を備えた撮像装置に関する。
【背景技術】
【０００２】
熱型赤外線検出装置として、
第１のウェハを用いて形成され、一表面側において周囲と熱絶縁された赤外線検出部が形成された熱型赤外線検出素子と、
熱型赤外線検出素子の一表面側において赤外線検出部を囲む形で熱型赤外線検出素子に封着されたパッケージ、
とを備え、
パッケージが少なくとも第２のウェハを用いて形成され、
第２のウェハの材料が半導体材料であり、
熱型赤外線検出素子とパッケージとの一方に、赤外線検出部と電気的に接続される貫通孔配線が形成され、
熱型赤外線検出素子とパッケージとの外形サイズが同じであり、
パッケージに第２のウェハの一部から成る半導体レンズ部が一体に形成されている熱型赤外線検出装置が、特開２００７−１７１１７０号公報から周知である。そして、第１のウェハを用いて形成され、赤外線検出部の出力信号を増幅する増幅回路を含む集積回路から成る信号処理回路が、第１のウェハの一表面側に形成されている。
【先行技術文献】
【特許文献】
【０００３】
【特許文献１】特開２００７−１７１１７０号公報
【発明の概要】
【発明が解決しようとする課題】
【０００４】
ところで、この特許公開公報に開示された熱型赤外線検出装置にあっては、赤外線検出部の出力信号を増幅する増幅回路を含む集積回路から成る信号処理回路１９が、第１のウェハの一表面側に形成されている（特開２００７−１７１１７０号公報の図１１参照）。それ故、この特許公開公報に開示された熱型赤外線検出装置の一層の小型化は困難であるし、多数の赤外線検出部が配列された素子アレイを構成することも困難である。しかも、増幅回路が第１のウェハに形成されているので、増幅回路を大きくしたり、信号処理回路を加えることは難しい。【０００５】
従って、本開示の目的は、一層の小型化を達成し得る構成、構造の撮像装置を提供することにある。
【課題を解決するための手段】
【０００６】
上記の目的を達成するための本開示の撮像装置は、
第１構造体及び第２構造体から構成されており、
第１構造体は、
第１基板、
第１基板に設けられ、赤外線に基づき温度を検出する温度検出素子、並びに、
温度検出素子に接続された信号線及び駆動線、
を備えており、
第２構造体は、
第２基板、及び、
第２基板に設けられ、被覆層によって被覆された駆動回路、
を備えており、
第１基板と第２基板とは積層されており、
信号線は、信号線接続部を介して、駆動回路と電気的に接続されており、
駆動線は、駆動線接続部を介して、駆動回路と電気的に接続されており、
信号線接続部は、第１構造体に形成された第１信号線接続部、及び、第２構造体に形成された第２信号線接続部から成り、
駆動線接続部は、第１構造体に形成された第１駆動線接続部、及び、第２構造体に形成された第２駆動線接続部から成る。
【発明の効果】
【０００７】
本開示の撮像装置にあっては、赤外線に基づき温度を検出する温度検出素子を備えた第１構造体と駆動回路を備えた第２構造体とが積層されており、温度検出素子は、信号線及び信号線接続部を介して、また、駆動線及び駆動線接続部を介して、駆動回路と電気的に接続されているので、撮像装置の一層の小型化を達成することができる。尚、本明細書に記載された効果はあくまで例示であって限定されるものでは無く、また、付加的な効果があってもよい。
【図面の簡単な説明】
【０００８】
【図１】図１は、実施例１の撮像装置の温度検出素子を含む領域（温度検出素子アレイ領域）の模式的な一部端面図である。
【図２】図２は、実施例１の撮像装置の信号線接続部を含む領域（周辺領域）の模式的な一部端面図である。
【図３】図３は、実施例１の撮像装置の駆動線接続部を含む領域（周辺領域）の模式的な一部端面図である。
【図４】図４Ａ及び図４Ｂは、それぞれ、実施例１の撮像装置における第１接続孔を拡大した模式的な一部断面図、及び、第２接続孔を拡大した模式的な一部断面図である。
【図５】図５Ａ及び図５Ｂは、実施例１の撮像装置における第１接続孔及び第２接続孔の一例の模式的な一部断面図である。
【図６】図６は、実施例１の撮像装置の変形例における信号線接続部を含む領域（周辺領域）の模式的な一部端面図である。
【図７】図７は、実施例１の撮像装置の模式的な部分的平面図である。
【図８】図８は、実施例１の撮像装置における第１構造体及び第２構造体の模式的な分解斜視図である。
【図９】図９は、実施例１の撮像装置の等価回路図である。
【図１０】図１０は、実施例１の撮像装置の別の変形例の信号線接続部を含む領域（周辺領域）の模式的な一部端面図である。
【図１１】図１１は、実施例２の撮像装置の信号線接続部を含む領域（周辺領域）の模式的な一部端面図である。
【図１２】図１２は、実施例２の撮像装置の駆動線接続部を含む領域（周辺領域）の模式的な一部端面図である。
【図１３】図１３は、実施例３の撮像装置の信号線接続部を含む領域（周辺領域）の模式的な一部端面図である。
【図１４】図１４は、実施例３の撮像装置の駆動線接続部を含む領域（周辺領域）の模式的な一部端面図である。
【図１５】図１５は、実施例４の撮像装置の信号線接続部を含む領域（周辺領域）の模式的な一部端面図である。
【図１６】図１６は、実施例４の撮像装置の駆動線接続部を含む領域（周辺領域）の模式的な一部端面図である。
【図１７】図１７Ａ及び図１７Ｂは、実施例５の撮像装置の変形例の模式的な一部端面図である。
【図１８】図１８Ａ及び図１８Ｂは、実施例６の撮像装置及びその変形例の模式的な一部端面図である。
【図１９】図１９Ａ及び図１９Ｂは、実施例６の撮像装置の別の変形例の模式的な一部端面図である。
【図２０】図２０は、実施例６の撮像装置の更に別の変形例の模式的な一部端面図である。
【図２１】図２１Ａ及び図２１Ｂは、実施例７の撮像装置及びその変形例の模式的な一部端面図である。
【図２２】図２２Ａ及び図２２Ｂは、実施例８の撮像装置及びその変形例の模式的な一部端面図である。
【図２３】図２３は、実施例８の撮像装置における温度検出素子と温度制御層との配置状態を模式的に示す図である。
【図２４】図２４は、実施例８の撮像装置の別の変形例における温度検出素子と温度制御層との配置状態を模式的に示す図である。
【図２５】図２５Ａ及び図２５Ｂは、実施例９の撮像装置及びその変形例の模式的な一部端面図である。
【図２６】図２６Ａ及び図２６Ｂは、それぞれ、実施例９の撮像装置における温度検出素子の配置状態を模式的に示す図である。
【図２７】図２７は、物体からの放射スペクトルと赤外線波長の関係を模式的に示すグラフである。
【図２８】図２８は、実施例１０の撮像装置の等価回路図である。
【図２９】図２９は、実施例１０の撮像装置の変形例の模式的な一部端面図である。
【図３０】図３０は、図２９に示した実施例１０の撮像装置の変形例の構成要素の配置状態を模式的に示す図である。
【図３１】図３１は、実施例１０の撮像装置の別の変形例の等価回路図である。
【図３２】図３２は、図３１に示した実施例１０の撮像装置の別の変形例の構成要素の配置状態を模式的に示す図である。
【図３３】図３３は、実施例１１の撮像装置の等価回路図である。
【図３４】図３４は、実施例１２の撮像装置の等価回路図である。
【図３５】図３５は、実施例１３における本開示の撮像装置を備えた赤外線カメラの概念図である。
【図３６】図３６は、実施例９の撮像装置の変形例の等価回路図である。
【図３７】図３７は、実施例６の撮像装置の更に別の変形例の模式的な一部端面図である。
【図３８】図３８Ａ及び図３８Ｂは、実施例６の撮像装置の更に別の変形例の模式的な一部端面図である。
【図３９】図３９Ａ及び図３９Ｂは、実施例６の撮像装置の更に別の変形例の模式的な一部端面図である。
【図４０】図４０は、実施例５及び実施例６の撮像装置を構成する温度検出素子を上下に組み合わせた撮像装置（第４構成の撮像装置）の模式的な一部端面図である。
【図４１】図４１Ａ及び図４１Ｂは、それぞれ、実施例５の変形例及び実施例６の更に別の変形例の撮像装置の模式的な一部端面図である。
【図４２】図４２Ａ、図４２Ｂ、図４２Ｃ及び図４２Ｄは、実施例５の撮像装置の製造方法を説明するためのＳＯＩ基板等の模式的な一部端面図である。
【図４３】図４３Ａ、図４３Ｂ及び図４３Ｃは、図４２Ｄに引き続き、実施例５の撮像装置の製造方法を説明するためのＳＯＩ基板等の模式的な一部端面図である。
【図４４】図４４Ａ及び図４４Ｂは、図４３Ｃに引き続き、実施例５の撮像装置の製造方法を説明するためのＳＯＩ基板等の模式的な一部端面図である。
【図４５】図４５Ａ及び図４５Ｂは、図４４Ｂに引き続き、実施例５の撮像装置の製造方法を説明するためのＳＯＩ基板等の模式的な一部端面図である。
【図４６】図４６Ａ、図４６Ｂ及び図４６Ｃは、実施例６の撮像装置の製造方法を説明するためのＳＯＩ基板等の模式的な一部端面図である。
【図４７】図４７Ａ、図４７Ｂ、図４７Ｃ及び図４７Ｄは、図４６Ｃに引き続き、実施例６の撮像装置の製造方法を説明するためのＳＯＩ基板等の模式的な一部端面図である。
【発明を実施するための形態】
【０００９】
以下、図面を参照して、実施例に基づき本開示を説明するが、本開示は実施例に限定されるものではなく、実施例における種々の数値や材料は例示である。尚、説明は、以下の順序で行う。
１．本開示の撮像装置、全般に関する説明
２．実施例１（第１形態の撮像装置、第１構成の撮像装置、具体的には、フェース・ツー・バック構造の撮像装置）
３．実施例２（実施例１の変形）
４．実施例３（実施例１の別の変形、第２形態の撮像装置、第２Ａ形態の撮像装置）
５．実施例４（実施例３の変形、第２Ｂ形態の撮像装置）
６．実施例５（実施例１〜実施例４の変形、第１構成の撮像装置、具体的には、フェース・ツー・バック構造の撮像装置）
７．実施例６（実施例１〜実施例４の変形、具体的には、フェース・ツー・フェース構造の撮像装置）
８．実施例７（実施例１〜実施例６の変形）
９．実施例８（実施例１〜実施例７の変形）
１０．実施例９（本開示の第２構成〜第３構成の撮像装置）
１１．実施例１０（第５構成の撮像装置）
１２．実施例１１（第６構成の撮像装置）
１３．実施例１２（撮像装置におけるノイズ低減方法）
１４．実施例１３（実施例１〜実施例１２の変形、本開示の撮像装置の応用例）
１５．その他
【００１０】
〈本開示の撮像装置、全般に関する説明〉
本開示の撮像装置において、
第１信号線接続部は、第１構造体に形成された第１Ａ接続孔から成り、
第２信号線接続部は、第２構造体に形成された第１Ｂ接続孔から成り、
第１駆動線接続部は、第１構造体に形成された第２Ａ接続孔から成り、
第２駆動線接続部は、第２構造体に形成された第２Ｂ接続孔から成り、
第１Ａ接続孔と第１Ｂ接続孔とは、一体となって接続され、第１接続孔を構成し、
第２Ａ接続孔と第２Ｂ接続孔とは、一体となって接続され、第２接続孔を構成する形態とすることができる。尚、このような形態の本開示の撮像装置を、便宜上、『第１形態の撮像装置』と呼ぶ場合がある。
【００１１】
第１Ａ接続孔、第１Ｂ接続孔、第２Ａ接続孔及び第２Ｂ接続孔を構成する材料（具体的には、後述するコア部を構成する材料）として、銅（Ｃｕ）、タングステン（Ｗ）、アルミニウム（Ａｌ）、チタン（Ｔｉ）、タンタル（Ｔａ）、金（Ａｕ）、カーボン・ナノ・チューブやグラフェン等のカーボン、チタン−タングステン合金（ＴｉＷ）、ポリシリコンを挙げることができる。第１Ａ接続孔と第１Ｂ接続孔とは一体となって接続され、第２Ａ接続孔と第２Ｂ接続孔とは一体となって接続されているが、具体的には、第１Ａ接続孔と第１Ｂ接続孔とを一緒に（同時に）形成して第１接続孔を得ればよいし、同様に、第２Ａ接続孔と第２Ｂ接続孔とを一緒に（同時に）形成して第２接続孔を得ればよい。これらの形成方法として、各種ＣＶＤ法や各種ＰＶＤ法を挙げることができる。尚、これらの接続孔は、スルーチップビヤ（ＴＣＶ）あるいはスルーシリコンビヤ（ＴＳＶ）とも呼ばれる。また、駆動回路を構成する配線や配線層を構成する材料としても、上記と同様の材料を挙げることができる。
【００１２】
あるいは又、本開示の撮像装置において、
第１信号線接続部は、第１構造体に形成された第１Ａ接続孔、及び、第２構造体と対向する第１構造体の面に設けられ、第１Ａ接続孔に接続された第１Ａ接続端部から成り、
第２信号線接続部は、第２構造体に形成された第１Ｂ接続孔、及び、第１構造体と対向する第２構造体の面に設けられ、第１Ｂ接続孔に接続された第１Ｂ接続端部から成り、
第１駆動線接続部は、第１構造体に形成された第２Ａ接続孔、及び、第２構造体と対向する第１構造体の面に設けられ、第２Ａ接続孔に接続された第２Ａ接続端部から成り、
第２駆動線接続部は、第２構造体に形成された第２Ｂ接続孔、及び、第１構造体と対向する第２構造体の面に設けられ、第２Ｂ接続孔に接続された第２Ｂ接続端部から成り、
第１Ａ接続端部と第１Ｂ接続端部とは接続されており、
第２Ａ接続端部と第２Ｂ接続端部とは接続されており、
第１Ａ接続孔及び第１Ｂ接続孔は、第１接続孔を構成し、
第２Ａ接続孔及び第２Ｂ接続孔は、第２接続孔を構成する形態とすることができる。尚、このような形態の本開示の撮像装置を、便宜上、『第２形態の撮像装置』と呼ぶ場合がある。第１Ａ接続端部、第１Ｂ接続端部、第２Ａ接続端部及び第２Ｂ接続端部を構成する材料として、上記の第１Ａ接続孔、第１Ｂ接続孔、第２Ａ接続孔及び第２Ｂ接続孔を構成する材料（具体的には、後述するコア部を構成する材料）を挙げることができる。第１Ａ接続孔と第１Ａ接続端部とを接続するためには、第１Ａ接続孔の端面上に第１Ａ接続端部を形成すればよい。同様に、第１Ｂ接続孔と第１Ｂ接続端部とを接続するためには、第１Ｂ接続孔の端面上に第１Ｂ接続端部を形成すればよいし、第２Ａ接続孔と第２Ａ接続端部とを接続するためには、第２Ａ接続孔の端面上に第２Ａ接続端部を形成すればよいし、第２Ｂ接続孔と第２Ｂ接続端部とを接続するためには、第２Ｂ接続孔の端面上に第２Ｂ接続端部を形成すればよい。これらの形成方法として、各種ＣＶＤ法や各種ＰＶＤ法を挙げることができる。
【００１３】
第２形態の撮像装置において、
第１Ａ接続端部、第１Ｂ接続端部、第２Ａ接続端部及び第２Ｂ接続端部は、金属層又は合金層から成り、
第１Ａ接続端部と第１Ｂ接続端部とは接合されており、
第２Ａ接続端部と第２Ｂ接続端部とは接合されている形態とすることができる。尚、このような第２形態の撮像装置を、便宜上、『第２Ａ形態の撮像装置』と呼ぶ場合がある。
【００１４】
金属層又は合金層を構成する材料として、銅（Ｃｕ）、アルミニウム（Ａｌ）、金（Ａｕ）を挙げることができるし、金属層又は合金層の形成方法として、各種ＣＶＤ法や各種ＰＶＤ法を挙げることができる。第１Ａ接続端部と第１Ｂ接続端部の接合方法、第２Ａ接続端部と第２Ｂ接続端部との接合方法として、常温にて、あるいは、加熱した状態で、圧力（加重）を加えて、直接、接合する方法（金属−金属接合法）を挙げることができる。
【００１５】
あるいは又、第２形態の撮像装置において、
第１Ａ接続端部と第１Ｂ接続端部とは、第１接合材料層を介して接続されており、
第２Ａ接続端部と第２Ｂ接続端部とは、第２接合材料層を介して接続されている形態とすることができる。尚、このような第２形態の撮像装置を、便宜上、『第２Ｂ形態の撮像装置』と呼ぶ場合がある。
【００１６】
第１接合材料層及び第２接合材料層を構成する材料として、ハンダ・ボール、ハンダ・ペースト、ＡｕＳｎ共晶ハンダ、半田やインジウム、金（Ａｕ）等を含むバンプ、所謂低融点金属（合金）材料や半田材料、ロウ材を用いることができ、例えば、Ｉｎ（インジウム：融点１５７゜Ｃ）；インジウム−金系の低融点合金；Ｓｎ80Ａｇ20（融点２２０〜３７０゜Ｃ）、Ｓｎ95Ｃｕ5（融点２２７〜３７０゜Ｃ）等の錫（Ｓｎ）系高温はんだ；Ｐｂ97.5Ａｇ2.5（融点３０４゜Ｃ）、Ｐｂ94.5Ａｇ5.5（融点３０４〜３６５゜Ｃ）、Ｐｂ97.5Ａｇ1.5Ｓｎ1.0（融点３０９゜Ｃ）等の鉛（Ｐｂ）系高温はんだ；Ｚｎ95Ａｌ5（融点３８０゜Ｃ）等の亜鉛（Ｚｎ）系高温はんだ；Ｓｎ5Ｐｂ95（融点３００〜３１４゜Ｃ）、Ｓｎ2Ｐｂ98（融点３１６〜３２２゜Ｃ）等の錫−鉛系標準はんだ；Ａｕ88Ｇａ12（融点３８１゜Ｃ）等のろう材（以上の添字は全て原子％を表す）を挙げることができるし、第１接合材料層及び第２接合材料層の形成方法として、各種ＣＶＤ法や各種ＰＶＤ法、各種印刷法を挙げることができる。第１Ａ接続端部と第１Ｂ接続端部とを第１接合材料層を介して接続し、第２Ａ接続端部と第２Ｂ接続端部とを第２接合材料層を介して接続するためには、これらの材料を加熱すればよい。あるいは又、半田やインジウム、金（Ａｕ）等を含むバンプを用いる方法、チップ・オン・チップ方式に基づく方法を挙げることができる。
【００１７】
そして、上記の好ましい形態を含む第１形態の撮像装置あるいは第２形態の撮像装置において、
第１Ａ接続孔は、
信号線に接続され、第２構造体から離れる方向に延びる第１Ａ接続孔・第１セグメント、
第１Ｂ接続孔に近づく方向に延びる第１Ａ接続孔・第２セグメント、並びに、
第１Ａ接続孔・第１セグメントと第１Ａ接続孔・第２セグメントとを接続する第１Ａ接続孔・第３セグメント、
から成り、
第２Ａ接続孔は、
駆動線に接続され、第２構造体から離れる方向に延びる第２Ａ接続孔・第１セグメント、
第２Ｂ接続孔に近づく方向に延びる第２Ａ接続孔・第２セグメント、並びに、
第２Ａ接続孔・第１セグメントと第２Ａ接続孔・第２セグメントとを接続する第２Ａ接続孔・第３セグメント、
から成る形態とすることができる。
【００１８】
更には、上記の好ましい形態を含む第１形態の撮像装置あるいは第２形態の撮像装置において、第１接続孔の有する静電容量Ｃ1は、第２接続孔の有する静電容量Ｃ2よりも大きい構成（Ｃ1／Ｃ2＞１）とすることができる。このように、第１接続孔の有する静電容量Ｃ1を第２接続孔の有する静電容量Ｃ2よりも大きくすることで、温度検出素子と駆動回路を結ぶ信号線全体に大きな容量を付けることができ、ローパスフィルタとして働かせることができるので、信号読出しにおけるノイズを低減することができる。また、各信号線に接続されるアナログ・フロント・エンドやサンプルホールド回路において使用される容量の一部として第１接続孔の有する静電容量Ｃ1を用いることで、回路面積を削減することもできる。尚、各信号線は、アナログ・フロント・エンド及びアナログ−デジタル変換回路に接続されており、アナログ・フロント・エンドは、増幅器（プリアンプ）として機能する差動積分回路を有する構成とすることができる。ここで、差動積分回路は、反転増幅回路の帰還抵抗Ｒfをコンデンサ（上記の静電容量Ｃ1を有する）で置き換えた積分回路に相当する。
【００１９】
あるいは又、上記の好ましい形態、構成を含む第１形態の撮像装置あるいは第２形態の撮像装置において、第１接続孔の平均断面積は第２接続孔の平均断面積よりも大きい構成とすることができる。あるいは又、第１接続孔の数と第２接続孔の数を同じとし、各第１接続孔の平均断面積を各第２接続孔の平均断面積よりも大きくしてもよい。あるいは又、第１接続孔の数は第２接続孔の数よりも多い構成としてもよく、この場合、各第１接続孔の平均断面積と各第２接続孔の平均断面積とを同じとしてもよい。あるいは又、第１接続孔の長さは第２接続孔の長さよりも長い構成とすることができるし、あるいは又、
第１接続孔は、第１コア部、及び、第１接続孔の側壁と第１コア部との間に配設された第１外周部から構成されており、
第２接続孔は、第１コア部を構成する材料と同じ材料から構成された第２コア部、及び、第２接続孔の側壁と第２コア部との間に配設され、第１外周部を構成する材料と同じ材料から構成された第２外周部から構成されており、
第１外周部は、第２外周部よりも薄い構成とすることもできるし、あるいは又、
第１接続孔は、第１コア部、及び、第１接続孔の側壁と第１コア部との間に配設された第１外周部から構成されており、
第２接続孔は、第２コア部、及び、第２接続孔の側壁と第２コア部との間に配設された第２外周部から構成されており、
第１外周部を構成する材料の比誘電率の値は、第２外周部を構成する材料の比誘電率の値よりも大きい構成とすることもできる。
【００２０】
第１接続孔は少なくとも第１基板に設けられ、第２接続孔は少なくとも第２基板に設けられている。そして、第１接続孔は、導電材料から成る第１コア部、及び、第１接続孔の側壁と第１コア部との間に配設された絶縁材料（誘電体材料）から成る第１外周部（第１外周層）から構成されており、第２接続孔も、導電材料から成る第２コア部、及び、第２接続孔の側壁と第２コア部との間に配設された絶縁材料（誘電体材料）から成る第２外周部（第２外周層）から構成されている。従って、第１コア部と第１外周部と第１基板から一種のコンデンサ（便宜上、『第１コンデンサ』と呼ぶ）が形成され、第２コア部と第２外周部と第２基板から一種のコンデンサ（便宜上、『第２コンデンサ』と呼ぶ）が形成される。
【００２１】
従って、第１接続孔の数α1と第２接続孔の数α2を同じとし（α1＝α2）、各第１接続孔の平均断面積β1を各第２接続孔の平均断面積β2よりも大きくする（β1＞β2）ことで、第１コンデンサの面積を第２コンデンサの面積よりも大きくすることができ、その結果、第１コンデンサの容量Ｃ1を第２コンデンサの容量Ｃ2よりも大きくすることができる。
【００２２】
また、第１接続孔の数α1を第２接続孔の数α2よりも多くし（α1＞α2）、各第１接続孔の平均断面積β1と各第２接続孔の平均断面積β2とを同じ（β1＝β2）とすれば、第１接続孔における並列接続のコンデンサの数を、第２接続孔における並列接続のコンデンサの数よりも多くすることができ、その結果、第１コンデンサの容量Ｃ1を第２コンデンサの容量Ｃ2よりも大きくすることができる。
【００２３】
また、第１接続孔の長さを第２接続孔の長さよりも長い構成とすれば、第１コンデンサの面積を第２コンデンサの面積よりも大きくすることができ、その結果、第１コンデンサの容量Ｃ1を第２コンデンサの容量Ｃ2よりも大きくすることができる。
【００２４】
また、第１外周部（第１外周層）を第２外周部（第２外周層）よりも薄くすることで、第１コンデンサの容量Ｃ1を第２コンデンサの容量Ｃ2よりも大きくすることができるし、第１外周部（第１外周層）を構成する材料の比誘電率の値を、第２外周部（第２外周層）を構成する材料の比誘電率の値よりも大きくすることで、第１コンデンサの容量Ｃ1を第２コンデンサの容量Ｃ2よりも大きくすることができる。
【００２５】
更には、上記の好ましい形態、構成を含む本開示の撮像装置は、
第１の方向、及び、第１の方向とは異なる第２の方向に配列された複数の温度検出素子を備えており、
更に、第１の方向に沿って配設され、それぞれに複数の温度検出素子が接続された複数の駆動線、及び、第２の方向に沿って配設され、それぞれに複数の温度検出素子が接続された複数の信号線を備えており、
第１構造体は、温度検出素子を備えた温度検出素子アレイ領域、及び、温度検出素子アレイ領域を取り囲む周辺領域を有しており、
周辺領域において、信号線は、信号線接続部を介して駆動回路と電気的に接続されており、
周辺領域において、駆動線は、駆動線接続部を介して駆動回路と電気的に接続されている構成とすることができるし、あるいは又、上記の好ましい形態、構成を含む本開示の撮像装置は、
第１の方向に配列されたＪ個（但し、Ｊ≧１）の温度検出素子を備えており、
更に、第１の方向に沿って配設され、それぞれに温度検出素子が接続されたＪ本の駆動線及びＪ本の信号線を備えており、
第１構造体は、温度検出素子を備えた温度検出素子アレイ領域、及び、温度検出素子アレイ領域を取り囲む周辺領域を有しており、
周辺領域において、信号線は、信号線接続部を介して駆動回路と電気的に接続されており、
周辺領域において、駆動線は、駆動線接続部を介して駆動回路と電気的に接続されている構成とすることもできる。
【００２６】
更には、以上に説明した各種の好ましい形態、構成を含む本開示の撮像装置において、温度検出素子と被覆層との間には、空所が設けられている構成とすることができる。尚、このような本開示の撮像装置を、便宜上、『第１構成の撮像装置』と呼ぶ場合がある。第１構成の撮像装置において、第１基板と第２基板とは積層され、温度検出素子と被覆層との間に空所が設けられるので、温度検出素子において空所を高い精度で設けることが可能となる。そして、この場合、赤外線が入射する側には、赤外線吸収層が形成されており、空所の底部に位置する被覆層の領域には、赤外線反射層が形成されている構成とすることができる。
【００２７】
あるいは又、以上に説明した各種の好ましい形態、構成を含む本開示の撮像装置において、
赤外線に基づき温度を検出する温度検出素子ユニットを備えており、
温度検出素子ユニットは、複数の温度検出素子が並置されて成り、
温度検出素子ユニットにおいて、各温度検出素子が検出する赤外線の波長は異なっている構成とすることができる。尚、このような本開示の撮像装置を、便宜上、『第２構成の撮像装置』と呼ぶ場合がある。第２構成の撮像装置あるいは次に述べる第３構成の撮像装置にあっては、温度検出素子ユニットは複数の温度検出素子が並置されて成り、温度検出素子ユニットにおいて各温度検出素子が検出する赤外線の波長は異なっており、あるいは又、温度検出素子ユニットにおいて各温度検出素子の赤外線吸収量は異なっているので、温度検出素子毎に波長分光特性や赤外線の感度を変え得ることが可能である。
【００２８】
あるいは又、以上に説明した各種の好ましい形態、構成を含む本開示の撮像装置において、
赤外線に基づき温度を検出する温度検出素子ユニットを備えており、
温度検出素子ユニットは、複数の温度検出素子が並置されて成り、
温度検出素子ユニットにおいて、各温度検出素子の赤外線吸収量は異なっている構成とすることができる。尚、このような本開示の撮像装置を、便宜上、『第３構成の撮像装置』と呼ぶ場合がある。
【００２９】
あるいは又、以上に説明した各種の好ましい形態、構成を含む本開示の撮像装置において、
赤外線に基づき温度を検出する温度検出素子ユニットを備えており、
温度検出素子ユニットは、赤外線の入射に沿って上下に配設された２つの温度検出素子から成り、
温度検出素子ユニットにおいて、各温度検出素子が検出する赤外線の波長は同じであり、又は、異なっており、又は、各温度検出素子の赤外線吸収量は異なっている構成とすることができる。尚、このような本開示の撮像装置を、便宜上、『第４構成の撮像装置』と呼ぶ場合がある。２つの温度検出素子は、同じ信号線及び駆動線に接続されていてもよいし、異なる信号線及び駆動線に接続されていてもよい。
【００３０】
あるいは又、以上に説明した各種の好ましい形態、構成を含む本開示の撮像装置において、
第１の方向、及び、第１の方向とは異なる第２の方向に、Ｍ0×Ｎ0個（但し、Ｍ0≧２，Ｎ0≧２）、配列された、赤外線に基づき温度を検出する温度検出素子、
第１の方向に沿って配設された複数の駆動線、
第２の方向に沿って配設されたＮ0×Ｐ0本（但し、Ｐ0≧２）の信号線、
複数の駆動線が接続された第１駆動回路、及び、
Ｎ0×Ｐ0本の信号線が接続された第２駆動回路、
を備えており、
各温度検出素子は、第１端子部及び第２端子部を備えており、
各温度検出素子の第１端子部は、駆動線に接続されており、
第（ｎ，ｐ）番目の信号線（但し、ｎ＝１，２・・・，Ｎ0、ｐ＝１，２・・・，Ｐ0）は、第２の方向に沿って配設された第ｎ番目のＮ0個の温度検出素子から構成された温度検出素子群における第｛（ｑ−１）Ｐ0＋ｐ｝番目の温度検出素子（但し、ｑ＝１，２，３・・・）の第２端子部に接続されている構成とすることができる。尚、このような本開示の撮像装置を、便宜上、『第５構成の撮像装置』と呼ぶ場合がある。第５構成の撮像装置において、第（ｎ，ｐ）番目の信号線は、第２の方向に沿って配設された第ｎ番目のＮ0個の温度検出素子から構成された温度検出素子群における第｛（ｑ−１）Ｐ0＋ｐ｝番目の温度検出素子の第２端子部に接続されているので、温度検出素子から出力される信号を積分するのに必要とされる時間を十分に確保することができ、撮像装置の高感度化、低ノイズ化を図ることができる。
【００３１】
あるいは又、以上に説明した各種の好ましい形態、構成を含む本開示の撮像装置において、
第１の方向、及び、第１の方向とは異なる第２の方向に、Ｓ0×Ｔ0個（但し、Ｓ0≧２，Ｔ0≧２）、配列された、赤外線に基づき温度を検出する温度検出素子、
第１の方向に沿って配設されたＳ0×Ｕ0本（但し、Ｕ0≧２）の駆動線、
第２の方向に沿って配設された複数の信号線、
Ｓ0×Ｕ0本の駆動線が接続された第１駆動回路、及び、
複数の信号線が接続された第２駆動回路、
を備えており、
各温度検出素子は、第１端子部及び第２端子部を備えており、
各温度検出素子の第２端子部は、信号線に接続されており、
第（ｓ，ｕ）番目の駆動線（但し、ｓ＝１，２・・・，Ｓ0、ｕ＝１，２・・・，Ｕ0）は、第１の方向に沿って配設された第ｓ番目のＳ0個の温度検出素子から構成された温度検出素子群における第｛（ｔ−１）Ｕ0＋ｕ｝番目の温度検出素子（但し、ｔ＝１，２，３・・・）の第１端子部に接続されている構成とすることができる。尚、このような本開示の撮像装置を、便宜上、『第６構成の撮像装置』と呼ぶ場合がある。第６構成の撮像装置において、第（ｓ，ｕ）番目の駆動線は、第１の方向に沿って配設された第ｓ番目のＳ0個の温度検出素子から構成された温度検出素子群における第｛（ｔ−１）Ｕ0＋ｕ｝番目の温度検出素子の第１端子部に接続されているので、温度検出素子の駆動における消費電力の低減を図ることができる。
【００３２】
第１構成の撮像装置において、温度検出素子と温度検出素子との間に位置する第１基板の部分には、隔壁が形成されており；隔壁の底部は、被覆層と接合されている構成とすることができる。尚、このような構成の撮像装置を、便宜上、『フェース・ツー・バック構造の撮像装置』と呼ぶ。第２基板と対向する第１基板の面を『第１基板の第１面』と呼び、第１基板の第１面と対向する第１基板の面を『第１基板の第２面』と呼ぶ場合、温度検出素子は、第１基板の第２面側に設けられている。
【００３３】
そして、フェース・ツー・バック構造の撮像装置において、空所に露出した被覆層の露出面は、絶縁材料層、金属材料層、合金材料層及び炭素材料層から成る群から選択された少なくとも１種類の材料層から構成されており；隔壁の側壁は、絶縁材料層、金属材料層、合金材料層及び炭素材料層から成る群から選択された少なくとも１種類の材料層から構成されている構成とすることができる。隔壁の側壁によって囲まれた隔壁内部は第１基板の一部から構成されている。場合によっては、隔壁内部は、隔壁の側壁を構成する材料と同じ材料から構成されていてもよいし、第１基板や隔壁の側壁を構成する材料とは異なる材料から構成されていてもよい。
【００３４】
あるいは又、フェース・ツー・バック構造の撮像装置において、空所に露出した被覆層の露出面は、絶縁材料層、金属材料層、合金材料層及び炭素材料層から成る群から選択された少なくとも１種類の材料層から構成されている構成とすることができる。そして、このような構成を含むフェース・ツー・バック構造の撮像装置において、隔壁の側壁は、絶縁材料層、金属材料層、合金材料層及び炭素材料層から成る群から選択された少なくとも１種類の材料層から構成されている構成とすることができる。
【００３５】
空所に露出した被覆層の露出面を構成する絶縁材料層として、酸化物から成る絶縁材料層（具体的には、例えば、ＳｉＯX（１≦Ｘ≦２）、ＳｉＯＦ、ＳｉＯＣ）、窒化物から成る絶縁材料層（具体的には、例えば、ＳｉＮ）、酸窒化物から成る絶縁材料層（具体的には、例えば、ＳｉＯＮ）、接着材料層を挙げることができるし、空所に露出した被覆層の露出面を構成する金属材料層として、金（Ａｕ）、銅（Ｃｕ）、アルミニウム（Ａｌ）、タングステン（Ｗ）、チタン（Ｔｉ）を挙げることができるし、空所に露出した被覆層の露出面を構成する合金材料層として、これらの金属を含む合金層や半田層を挙げることができるし、空所に露出した被覆層の露出面を構成する炭素材料層として、カーボンフィルムやカーボンナノチューブを挙げることができる。
【００３６】
また、隔壁の側壁を構成する絶縁材料層、金属材料層、合金材料層、炭素材料層として、上述した各種材料を挙げることができる。
【００３７】
（空所に露出した被覆層の露出面を構成する絶縁材料層の材料，隔壁の側壁を構成する絶縁材料層の材料）の組み合わせとして、（絶縁材料層，絶縁材料層）、（絶縁材料層，金属材料層）、（絶縁材料層，合金材料層）、（絶縁材料層，炭素材料層）、（金属材料層，絶縁材料層）、（金属材料層，金属材料層）、（金属材料層，合金材料層）、（金属材料層，炭素材料層）、（合金材料層，絶縁材料層）、（合金材料層，金属材料層）、（合金材料層，合金材料層）、（合金材料層，炭素材料層）、（炭素材料層，絶縁材料層）、（炭素材料層，金属材料層）、（炭素材料層，合金材料層）、（炭素材料層，炭素材料層）の１６通りの組み合わせを挙げることができる。
【００３８】
空所に露出した被覆層の露出面を構成する絶縁材料層と、隔壁の側壁を構成する絶縁材料層とは、同じ材料から構成されていてもよいし、異なる材料から構成されていてもよい。空所に露出した被覆層の露出面を構成する金属材料層と、隔壁の側壁を構成する金属材料層とは、同じ材料から構成されていてもよいし、異なる材料から構成されていてもよい。空所に露出した被覆層の露出面を構成する合金材料層と、隔壁の側壁を構成する合金材料層とは、同じ材料から構成されていてもよいし、異なる材料から構成されていてもよい。空所に露出した被覆層の露出面を構成する炭素材料層と、隔壁の側壁を構成する炭素材料層とは、同じ材料から構成されていてもよいし、異なる材料から構成されていてもよい。後述するフェース・ツー・フェース構造の撮像装置においても同様である。但し、「隔壁の側壁」を『隔壁』と読み替えるものとする。
【００３９】
以上に説明した各種の好ましい構成を含むフェース・ツー・バック構造の撮像装置において、赤外線が入射する温度検出素子の側には、赤外線吸収層が形成されており；空所の底部に位置する被覆層の領域には、赤外線反射層が形成されている構成とすることができる。赤外線反射層は、空所の底部に位置する被覆層の部分に形成されていてもよいし、空所の底部に位置する被覆層の部分の一部に形成されていてもよいし、空所の底部に位置する被覆層の部分からはみ出るように形成されていてもよい。そして、この場合、赤外線吸収層は、温度検出素子の上方に形成されている構成とすることができる。具体的には、赤外線吸収層は、温度検出素子の上に形成された絶縁膜の上に形成されていてもよいし、赤外線吸収層と温度検出素子との間に隙間（空間）が存在する状態で赤外線吸収層を形成してもよい。更には、これらの場合、赤外線反射層は、被覆層の頂面（被覆層の頂面上、あるいは、被覆層の頂面の一部を含む）、又は、被覆層の内部に形成されている構成とすることができる。更には、これらの場合、赤外線吸収層が吸収すべき赤外線の波長をλIRとしたとき、赤外線吸収層と赤外線反射層との間の光学的距離（材料の厚さ及び屈折率を考慮した距離）Ｌ0は、
０．７５×λIR／２≦Ｌ0≦１．２５×λIR／２
又は、
０．７５×λIR／４≦Ｌ0≦１．２５×λIR／４
を満足する構成とすることができる。λIRとして、８μｍ乃至１４μｍを例示することができる。
【００４０】
あるいは又、以上に説明した各種の好ましい構成を含むフェース・ツー・バック構造の撮像装置において、赤外線が入射する温度検出素子の側には、第１赤外線吸収層が形成されており；空所の底部に位置する被覆層の領域には、赤外線反射層が形成されており；空所と対向する温度検出素子の側には、第２赤外線吸収層が形成されている構成とすることができる。赤外線反射層は、空所の底部に位置する被覆層の部分に形成されていてもよいし、空所の底部に位置する被覆層の部分の一部に形成されていてもよいし、空所の底部に位置する被覆層の部分からはみ出るように形成されていてもよい。そして、この場合、第１赤外線吸収層は、温度検出素子の上方に形成されている構成とすることができる。具体的には、第１赤外線吸収層は、温度検出素子の上に形成された絶縁膜の上に形成されていてもよいし、第１赤外線吸収層と温度検出素子との間に隙間（空間）が存在する状態で第１赤外線吸収層を形成してもよい。第２赤外線吸収層は、例えば、空所と対向する温度検出素子の面上に形成すればよいし、温度検出素子の上に形成された絶縁膜の上に形成されていてもよいし、第２赤外線吸収層と温度検出素子との間に隙間（空間）が存在する状態で第２赤外線吸収層を形成してもよい。更には、これらの場合、赤外線反射層は、被覆層の頂面（被覆層の頂面上、あるいは、被覆層の頂面の一部を含む）、又は、被覆層の内部に形成されている構成とすることができる。各赤外線吸収層は、赤外線を吸収するだけでなく、一部を透過し、一部を反射するため、透過や反射を低減する構造とすることで、より感度を向上させることができる。即ち、このような構成により、第１赤外線吸収層を透過した一部の赤外線が第２赤外線吸収層で更に吸収されるため、透過を低減させることができる。また、第１赤外線吸収層で反射した赤外線と第２赤外線吸収層で反射した赤外線が逆位相で打ち消し合い、反射を低減させることができる。また、第２赤外線吸収層を反射した赤外線と赤外線反射層を反射した赤外線が逆位相で打ち消し合い、反射を低減させることができる。更には、これらの場合、第１赤外線吸収層及び第２赤外線吸収層が吸収すべき赤外線の波長をλIRとし、第１赤外線吸収層と第２赤外線吸収層との光学的距離Ｌ1とし、第２赤外線吸収層と赤外線反射層との光学的距離をＬ2としたとき、
０．７５×λIR／４≦Ｌ1≦１．２５×λIR／４
０．７５×λIR／４≦Ｌ2≦１．２５×λIR／４
を満足する構成とすることができる。λIRとして、８μｍ乃至１４μｍを例示することができる。
【００４１】
あるいは又、上記の好ましい形態を含む第１構成の撮像装置において、温度検出素子と温度検出素子との間に位置する第１基板の部分と被覆層との間には、第１基板と独立して隔壁が形成されており；隔壁の底部は、被覆層と接合されている構成とすることができる。尚、このような構成の撮像装置を、便宜上、『フェース・ツー・フェース構造の撮像装置』と呼ぶ。隔壁は第１基板と異なる材料から構成されている。温度検出素子は、第１基板の第１面側に設けられている。
【００４２】
そして、フェース・ツー・フェース構造の撮像装置において、空所に露出した被覆層の露出面は、絶縁材料層、金属材料層、合金材料層及び炭素材料層から成る群から選択された少なくとも１種類の材料層から構成されており；隔壁は、絶縁材料層、金属材料層、合金材料層及び炭素材料層から成る群から選択された少なくとも１種類の材料層から構成されている構成とすることができる。
【００４３】
あるいは又、フェース・ツー・フェース構造の撮像装置において、空所に露出した被覆層の露出面は、絶縁材料層、金属材料層、合金材料層及び炭素材料層から成る群から選択された少なくとも１種類の材料層から構成されている構成とすることができる。そして、このような構成を含むフェース・ツー・フェース構造の撮像装置において、隔壁は、絶縁材料層、金属材料層、合金材料層及び炭素材料層から成る群から選択された少なくとも１種類の材料層から構成されている構成とすることができる。
【００４４】
尚、空所に露出した被覆層の露出面を構成する絶縁材料層、金属材料層、合金材料層、炭素材料層、あるいは又、隔壁を構成する絶縁材料層、金属材料層、合金材料層、炭素材料層の具体例や組み合わせは、上述したフェース・ツー・バック構造の撮像装置における被覆層の露出面を構成する材料、隔壁の側壁を構成する材料に関して説明したと同様とすることができる。
【００４５】
以上に説明した各種の好ましい構成を含むフェース・ツー・フェース構造の撮像装置において、赤外線が入射する温度検出素子の側には、赤外線吸収層が形成されており；空所の底部に位置する被覆層の領域には、赤外線反射層が形成されている構成とすることができる。赤外線反射層は、空所の底部に位置する被覆層の部分に形成されていてもよいし、空所の底部に位置する被覆層の部分の一部に形成されていてもよいし、空所の底部に位置する被覆層の部分からはみ出るように形成されていてもよい。また、赤外線吸収層は、第１基板の第１面側に設けられていてもよいし、第１基板の第２面側に設けられていてもよいし、あるいは又、次に述べる保護基板に設けられていてもよい。そして、この場合、赤外線反射層は、被覆層の頂面（被覆層の頂面上、あるいは、被覆層の頂面の一部を含む）、又は、被覆層の内部に形成されている構成とすることができる。更には、これらの場合、赤外線吸収層が吸収すべき赤外線の波長をλIRとしたとき、赤外線吸収層と赤外線反射層との間の光学的距離Ｌ0は、
０．７５×λIR／２≦Ｌ0≦１．２５×λIR／２
又は、
０．７５×λIR／４≦Ｌ0≦１．２５×λIR／４
を満足する構成とすることができる。場合によっては、赤外線が入射する温度検出素子の側とは反対側に赤外線吸収層を形成してもよい。
【００４６】
あるいは又、以上に説明した各種の好ましい構成を含むフェース・ツー・フェース構造の撮像装置において、赤外線が入射する温度検出素子の側には、第１赤外線吸収層が形成されており；空所の底部に位置する被覆層の領域には、赤外線反射層が形成されており；空所と対向する温度検出素子の側には、第２赤外線吸収層が形成されている構成とすることができる。赤外線反射層は、空所の底部に位置する被覆層の部分に形成されていてもよいし、空所の底部に位置する被覆層の部分の一部に形成されていてもよいし、空所の底部に位置する被覆層の部分からはみ出るように形成されていてもよい。そして、この場合、第１赤外線吸収層は、第１基板の第１面側に設けられていてもよいし、第１基板の第２面側に設けられていてもよいし、あるいは又、次に述べる保護基板に設けられていてもよい。第２赤外線吸収層は、例えば、空所と対向する温度検出素子の面上に形成すればよいし、温度検出素子の上に形成された絶縁膜の上に空所と対向して形成されていてもよいし、第２赤外線吸収層と温度検出素子との間に隙間（空間）が存在する状態で第２赤外線吸収層を形成してもよい。更には、これらの場合、赤外線反射層は、被覆層の頂面（被覆層の頂面上、あるいは、被覆層の頂面の一部を含む）、又は、被覆層の内部に形成されている構成とすることができる。各赤外線吸収層は、赤外線を吸収するだけでなく、一部を透過し、一部を反射するため、透過や反射を低減する構造とすることで、より感度を向上させることができる。即ち、このような構成により、第１赤外線吸収層を透過した一部の赤外線が第２赤外線吸収層で更に吸収されるため、透過を低減させることができる。また、第１赤外線吸収層で反射した赤外線と第２赤外線吸収層で反射した赤外線が逆位相で打ち消し合い、反射を低減させることができる。また、第２赤外線吸収層を反射した赤外線と赤外線反射層を反射した赤外線が逆位相で打ち消し合い、反射を低減させることができる。更には、これらの場合、第１赤外線吸収層及び第２赤外線吸収層が吸収すべき赤外線の波長をλIRとし、第１赤外線吸収層と第２赤外線吸収層との光学的距離Ｌ1とし、第２赤外線吸収層と赤外線反射層との光学的距離をＬ2としたとき、
０．７５×λIR／４≦Ｌ1≦１．２５×λIR／４
０．７５×λIR／４≦Ｌ2≦１．２５×λIR／４
を満足する構成とすることができる。λIRとして、８μｍ乃至１４μｍを例示することができる。
【００４７】
更には、以上に説明した各種の好ましい構成を含むフェース・ツー・フェース構造の撮像装置において、赤外線が入射する第１基板の面側（第１基板の第２面側）に保護基板が配設されている構成とすることができる。そして、この場合、保護基板は、第１基板の面上（第１基板の第２面上）に配設されていてもよいし、第１基板の面の上方（第１基板の第２面の上方）に配設されていてもよい。また、以上に説明した各種の好ましい構成を含むフェース・ツー・バック構造の撮像装置において、赤外線が入射する第１基板の面（第１基板の第２面）の上方に保護基板が配設されている構成とすることができる。保護基板を構成する材料として、シリコン半導体基板、石英基板、プラスチック基板、プラスチックフィルム、ゲルマニウム基板、赤外線を透過する材料（具体的には、ＣａＦ2、ＢａＦ2、Ａｌ2Ｏ3、ＺｎＳｅ等）から成る基板を例示することができる。また、プラスチックとして、ポリエチレンを例示することができる。
【００４８】
更には、以上に説明した各種の好ましい形態、構成を含む第１構成の撮像装置にあっては、被覆層に熱伝導層が形成されている形態とすることができる。熱伝導層は、高い熱伝導性を有していてもよいし、逆に、低い熱伝導性を有していてもよい。高い熱伝導性を有する熱伝導層を構成する材料として、金属材料、カーボンフィルムやカーボンナノチューブといったカーボン系材料を挙げることができるし、低い熱伝導性を有する熱伝導層を構成する材料として、有機系材料を挙げることができる。熱伝導層は、限定するものではないが、温度検出素子アレイ領域の全面に形成することが好ましい。また、熱伝導層は、限定するものではないが、被覆層の内部であって、赤外線反射層の下方に配設することが望ましい。場合によっては、熱伝導層は赤外線反射層を兼ねていてもよい。
【００４９】
更には、以上に説明した各種の好ましい形態、構成を含む第１構成の撮像装置において、被覆層には温度制御層が形成されており、温度検知手段を更に有する構成とすることができ、これによって、温度検出素子の温度や温度分布を高い精度で制御することができる。ここで、温度制御層はヒータ（抵抗体、抵抗部材）として機能する構成とすることができ、例えば、温度制御層は配線を兼ねている構成とすることができる。具体的には、温度検知手段として、温度に依存した電気抵抗値の変化を測定することで温度を検出するシリコンダイオードやトランジスタ、ポリシリコン薄膜を例示することができるし、配線を兼ねる温度制御層を構成する材料として、タングステン膜等の金属系材料膜、ポリシリコン膜、チタン膜を例示することができるし、温度制御層を構成する材料として、ペリチェ効果を用いた積層膜、カーボン膜を例示することができる。場合によっては、温度制御層を第２基板に設けてもよい。更には、これらの場合、温度検知手段の温度検知結果に基づき、駆動回路は温度制御層を制御する（具体的には、例えば、温度制御層に流す電流を制御し、以て、温度制御層の発熱量を制御する）構成とすることができる。そして、これらの構成において、
第１構造体は、温度検出素子を備えた温度検出素子アレイ領域、及び、温度検出素子アレイ領域を取り囲む周辺領域を備えており、
温度制御層は温度検出素子アレイ領域に形成されている構成とすることができるし、あるいは又、
温度制御層は、温度検出素子アレイ領域の正射影像が存在する被覆層の領域に形成されている構成とすることができるし、あるいは又、
駆動回路は、アナログ−デジタル変換回路（ＡＤＣ）を備えており、
温度検出素子アレイ領域の正射影像が存在する駆動回路の領域には、アナログ−デジタル変換回路が配設されていない構成とすることができる。アナログ−デジタル変換回路は発熱量が多いので、このような構成を採用することで、より一層温度の均一化を図ることができる。尚、このような温度制御層の配設は、温度検出素子ではなく周知の受光素子（可視光を受光する受光素子）が形成された構造に対して適用することもできる。また、場合によっては、温度制御層は赤外線反射層を兼ねていてもよい。
【００５０】
更には、以上に説明した各種の好ましい形態、構成を含む第１構成の撮像装置において、複数の温度検出素子を備えており、空所は、隣接する２×ｋ個の温度検出素子（但し、ｋは１以上の整数）において共有化されている形態とすることができる。
【００５１】
第２構成の撮像装置において、
各温度検出素子は、赤外線入射側に赤外線吸収層を有し、赤外線入射側とは反対側に赤外線反射層を有しており、
温度検出素子ユニットにおいて、各温度検出素子における赤外線吸収層と赤外線反射層との間の光学的距離Ｌ0は異なっており、
各温度検出素子における光学的距離Ｌ0は、温度検出素子を構成する赤外線吸収層が吸収すべき赤外線の波長をλIRとしたとき、
０．７５×λIR／２≦Ｌ0≦１．２５×λIR／２
又は、
０．７５×λIR／４≦Ｌ0≦１．２５×λIR／４
を満足する形態とすることができる。そして、このような好ましい形態を含む第２構成の撮像装置において、
各温度検出素子は、赤外線入射側に赤外線吸収層を有し、赤外線入射側とは反対側に赤外線反射層を有しており、
温度検出素子ユニットにおいて、各温度検出素子における赤外線吸収層を構成する材料、構成、構造、又は、赤外線反射層を構成する材料、構成、構造、又は、赤外線吸収層を構成する材料、構成、構造及び赤外線反射層を構成する材料、構成、構造は、異なっている形態とすることができる。即ち、
（ケースＡ）各温度検出素子における赤外線吸収層を構成する材料、構成、構造が異なっており、赤外線反射層を構成する材料、構成、構造は同じである形態
（ケースＢ）各温度検出素子における赤外線反射層を構成する材料、構成、構造が異なっており、赤外線吸収層を構成する材料、構成、構造は同じである形態
（ケースＣ）各温度検出素子における赤外線吸収層を構成する材料、構成、構造が異なっており、赤外線反射層を構成する材料、構成、構造が異なっている形態
とすることができる。
【００５２】
第３構成の撮像装置において、
各温度検出素子は、赤外線入射側に赤外線吸収層を有し、赤外線入射側とは反対側に赤外線反射層を有しており、
温度検出素子ユニットにおいて、各温度検出素子における赤外線吸収層を構成する材料、又は、赤外線反射層を構成する材料、又は、赤外線吸収層を構成する材料及び赤外線反射層を構成する材料は、異なっている形態とすることができる。そして、このような好ましい形態を含む第３構成の撮像装置において、
各温度検出素子は、赤外線入射側に赤外線吸収層を有し、赤外線入射側とは反対側に赤外線反射層を有し、
温度検出素子ユニットにおいて、各温度検出素子における赤外線吸収層、又は、赤外線反射層、又は、赤外線吸収層及び赤外線反射層の面積、又は、厚さ、又は、面積及び厚さは異なっている形態とすることができる。即ち、
（ケースａ）各温度検出素子における赤外線吸収層の面積が異なっており、赤外線反射層の面積は同じである形態
（ケースｂ）各温度検出素子における赤外線反射層の面積が異なっており、赤外線吸収層の面積は同じである形態
（ケースｃ）各温度検出素子における赤外線吸収層の面積が異なっており、赤外線反射層の面積が異なっている形態
（ケースｄ）各温度検出素子における赤外線吸収層の厚さが異なっており、赤外線反射層の厚さは同じである形態
（ケースｅ）各温度検出素子における赤外線反射層の厚さが異なっており、赤外線吸収層の厚さは同じである形態
（ケースｆ）各温度検出素子における赤外線吸収層の厚さが異なっており、赤外線反射層の厚さが異なっている形態
（ケースｇ）各温度検出素子における赤外線吸収層の面積及び厚さが異なっており、赤外線反射層の面積及び厚さは同じである形態
（ケースｈ）各温度検出素子における赤外線反射層の面積及び厚さが異なっており、赤外線吸収層の面積及び厚さは同じである形態
（ケースｉ）各温度検出素子における赤外線吸収層の面積及び厚さが異なっており、赤外線反射層の面積及び厚さが異なっている形態
とすることができる。
【００５３】
第２構成の撮像装置あるいは第３構成の撮像装置において、温度検出素子ユニットを構成する温度検出素子の数は、２以上であればよい。
【００５４】
第５構成の撮像装置において、
複数の駆動線の本数は、Ｍ0／Ｐ0であり、
第ｍ番目の駆動線（但し、ｍ＝１、２・・・，Ｍ0／Ｐ0）は、第１の方向に沿って配設された第｛（ｍ−１）Ｐ0＋ｐ’｝番目のＭ0個の温度検出素子（但し、ｐ’＝１，２・・・Ｐ0の全ての値）から構成された温度検出素子群に共通である形態とすることができる。
【００５５】
そして、上記の好ましい形態を含む第５構成の撮像装置にあっては、第２駆動回路において、各信号線は、アナログ・フロント・エンド及びアナログ−デジタル変換回路に接続されており、アナログ・フロント・エンドは、増幅器（プリアンプ）として機能する差動積分回路を有する構成とすることができる。あるいは又、上記の好ましい形態を含む第５構成の撮像装置にあっては、第２駆動回路において、各信号線は、アナログ・フロント・エンド及びアナログ−デジタル変換回路に接続されている構成とすることができ、この場合、アナログ・フロント・エンドは差動積分回路を有する構成とすることができる。差動積分回路を含むアナログ・フロント・エンド、アナログ−デジタル変換回路は、周知の回路構成とすることができる。
【００５６】
更には、以上に説明した各種の好ましい形態、構成を含む第５構成の撮像装置において、
温度検出素子は、温度検出素子用基板に設けられた空所の上方に配設されており、
温度検出素子用基板に設けられた第１接続部と、温度検出素子の第１端子部とは、第１スタッド部（支持脚あるいは細長い梁であり、以下においても同様）を介して接続されており、
温度検出素子用基板に設けられた第２接続部と、温度検出素子の第２端子部とは、第２スタッド部を介して接続されている形態とすることができる。そして、この場合、
Ｐ0＝２であり、
第２の方向に隣接する２つの温度検出素子のそれぞれの第２端子部は、１つの第２スタッド部を介して温度検出素子用基板に設けられた第２接続部に接続されており、
第１の方向に隣接する２つの温度検出素子と、第２の方向に隣接する２つの温度検出素子の、合計４つの温度検出素子のそれぞれの第１端子部は、１つの第１スタッド部を介して温度検出素子用基板に設けられた第１接続部に接続されている形態とすることができる。
【００５７】
以上に説明した各種の好ましい形態、構成を含む本開示の撮像装置（以下、単に、『本開示における撮像装置等』と呼ぶ場合がある）にあっては、駆動回路あるいは第２駆動回路は、少なくとも、アナログ・フロント・エンド、アナログ−デジタル変換回路、水平走査回路及び垂直走査回路を備えている形態とすることができる。そして、各信号線は、アナログ・フロント・エンド及びアナログ−デジタル変換回路を介して水平走査回路に接続されている形態とすることができ、この場合、アナログ・フロント・エンドは差動積分回路を有し、差動積分回路と信号線との間に、差動積分回路と信号線との導通状態を制御するスイッチ手段が設けられている形態とすることができ、更には、この場合、スイッチ手段は、差動積分回路と信号線との間を不導通状態とするとき、信号線を固定電位とする形態とすることができる。差動積分回路を含むアナログ・フロント・エンド、アナログ−デジタル変換回路、スイッチ手段は、周知の回路構成とすることができる。また、各駆動線は垂直走査回路に接続されている形態とすることができる。
【００５８】
以上に説明した各種の好ましい形態、構成を含む本開示の撮像装置等において、温度検出素子は、ＳＯＩダイオードを含むｐｎ接合ダイオードやショットキダイオードといった各種ダイオード、あるいは、トランジスタ、ダイオードと能動素子の組合せ；酸化バナジウム膜やアモルファスシリコン膜、ポリシリコン膜、炭化ケイ素膜、チタン膜等を備えた抵抗ボロメータ素子；白金や金、ニッケル等の金属、サーミスタ等を用いた熱電変換素子；ゼーベック効果を用いたサーモパイル素子；誘電体の表面電荷が変化する焦電素子；強誘電体素子；トンネル効果を用いたダイオード；超電導を応用した素子から成る形態とすることができ、これらは、周知の構成、構造を有する。より具体的には、温度検出素子は、ｐｎ接合ダイオード、ボロメータ素子、サーモパイル素子、金属膜抵抗素子、金属酸化物抵抗素子、セラミック抵抗素子、サーミスタ素子から成る形態とすることができる。１つの温度検出素子は、例えば、直列に接続された複数のダイオードから構成することもできる。温度検出素子は、例えば、所謂ＭＥＭＳ技術に基づき形成することができる。
【００５９】
第１構成の撮像装置〜第６構成の撮像装置において、温度検出素子は、第１基板あるいは温度検出素子用基板の赤外線入射側に設けられていてもよいし、第１基板あるいは温度検出素子用基板の赤外線入射側とは反対側に設けられていてもよい。
【００６０】
本開示の撮像装置等において、第１の方向、及び、第１の方向とは異なる第２の方向に（具体的には、例えば、２次元マトリクス状に）配列され、赤外線に基づき温度を検出する複数の温度検出素子あるいは温度検出素子ユニットの数として、６４０×４８０（ＶＧＡ）、３２０×２４０（ＱＶＧＡ）、１６０×１２０（ＱＱＶＧＡ）、６１２×５１２、１９８０×１０８０（及びその整数倍）、２０４８×１０８０（及びその整数倍）を例示することができる。第１の方向と第２の方向とは、直交していることが好ましいが、これに限定するものではなく、上記画素数の画素配列において、画素を市松状に除去して、斜め４５度回転した配列としてもよい。
【００６１】
本開示における撮像装置等において、第１基板や温度検出素子用基板は、例えば、シリコン半導体基板やＳＯＩ基板から構成することができるし、第２基板は、例えば、シリコン半導体基板から構成することができる。信号線、駆動線は周知の導電材料から、周知の方法に基づき、形成すればよい。第２構造体に備えられた駆動回路も周知の駆動回路から構成することができる。あるいは又、駆動回路を、周知の読出し用集積回路（ＲＯＩＣ）から構成することもできる。第１基板には、温度検出素子だけでなく、他の回路が設けられていてもよい。
【００６２】
第２構造体における駆動回路を被覆する被覆層は、例えば、酸化シリコン系材料、窒化シリコン系材料、酸窒化シリコン系材料、各種有機材料から構成することができる。被覆層は、単層構成であってもよいし、複数層の積層構造を有していてもよい。
【００６３】
第１基板と被覆層との接合、具体的には、隔壁の底部と被覆層との接合方法として、例えば、脱水縮合によるシリコン−酸素共有結合の形成といった方法（Ｓｉ−ＳｉＯ2に基づく常温接合法）、ＳｉＯ2−ＳｉＯ2に基づく常温接合法を挙げることができる。
【００６４】
赤外線吸収層を構成する材料として、クロム（Ｃｒ）及びその合金、アルミニウム（Ａｌ）及びその合金、これらの材料から成る層と例えばＳｉＯ2膜やＳｉＮ膜との積層構造を例示することができる。赤外線吸収層において赤外線が吸収される結果発生した熱は、温度検出素子に確実に伝熱されることが望ましい。また、赤外線吸収層は、赤外線吸収層を構成する導電体材料や抵抗体材料のシート抵抗値が３７７Ω□±３０％の範囲になるよう厚さに設定することが望ましい。赤外線反射層を構成する材料として、赤外線吸収層とは特性（例えば、面積抵抗率、シート抵抗値）が異なるアルミニウム（Ａｌ）及びその合金、金（Ａｕ）及びその合金、銀（Ａｇ）及びその合金、銅（Ｃｕ）及びその合金、白金（Ｐｔ）及びその合金、これらの材料から成る層の積層構造を例示することができる。赤外線反射層は、被覆層の露出面を構成する金属材料層や合金材料層を兼ねていてもよい。
【００６５】
温度検出素子が配置される空間は、減圧され、また、真空（真空に近い低圧を含み、以下においても同様）とされていることが好ましい。空所も、減圧され、また、真空とされていることが好ましい。あるいは又、撮像装置、全体は、減圧され、また、真空にされたパッケージあるいは容器（ケース）内に格納されていることが好ましい。
【００６６】
赤外線入射側の撮像装置には、必要に応じて、赤外線の反射を防止する構造や、特定周波数の赤外線のみを通すための赤外線フィルタ、回折格子やレンズ等の集光素子を配設してもよい。
【００６７】
以上に説明した各種の好ましい形態、構成を含む第１構成の撮像装置〜第６構成の撮像装置とを、任意に組み合わせることができる。組み合わせは、２種類の構成の撮像装置だけでなく、３種類以上の構成の撮像装置とすることもできる。
【００６８】
本開示における撮像装置等は、例えば、赤外線カメラ、暗視カメラ、サーモグラフ、車載カメラ（人検知）、エアコンディショナー（人検知センサ）、電子レンジに対して適用することができる。尚、場合によっては、本開示における撮像装置等は、赤外線に基づき温度を検出する温度検出センサと云い換えることもできる。
【実施例１】
【００６９】
実施例１は、第１形態の撮像装置に関し、具体的には、第１構成の撮像装置に関する。実施例１の撮像装置の温度検出素子を含む領域（温度検出素子アレイ領域）の模式的な一部端面図を図１に示し、信号線接続部を含む領域（周辺領域）の模式的な一部端面図を図２に示し、駆動線接続部を含む領域（周辺領域）の模式的な一部端面図を図３に示し、第１接続孔を拡大した模式的な一部断面図及び第２接続孔を拡大した模式的な一部断面図を図４Ａ及び図４Ｂに示し、模式的な部分的平面図を図７に示す。また、実施例１の撮像装置における第１構造体及び第２構造体の模式的な分解斜視図を図８に示し、実施例１の撮像装置の等価回路図を図９に示す。実施例１の撮像装置は、具体的には、フェース・ツー・バック構造の撮像装置である。ここで、図１は、図７の矢印Ａ−Ａに沿った模式的な一部端面図である。また、図７において、絶縁膜や赤外線吸収層の図示を省略し、明確化のために空所、信号線、配線に斜線を付し、駆動線を点線で示し、ｐｎ接合ダイオードを記号で示している。【００７０】
実施例１の撮像装置１０、あるいは、後述する実施例２〜実施例１３の撮像装置は、
第１構造体２０及び第２構造体４０から構成されており、
第１構造体２０は、
第１基板２１、
第１基板２１に設けられ、赤外線に基づき温度を検出する温度検出素子１５、並びに、
温度検出素子１５に接続された信号線７１及び駆動線７２、
を備えており、
第２構造体４０は、
第２基板４１、及び、
第２基板４１に設けられ、被覆層（層間絶縁層）４３によって被覆された駆動回路、
を備えており、
第１基板２１と第２基板４１とは積層されている。【００７１】
そして、信号線７１は、信号線接続部１００を介して、駆動回路と電気的に接続されており、
駆動線７２は、駆動線接続部１１０を介して、駆動回路と電気的に接続されており、
信号線接続部１００は、第１構造体２０に形成された第１信号線接続部１０１、及び、第２構造体４０に形成された第２信号線接続部１０６から成り、
駆動線接続部１１０は、第１構造体２０に形成された第１駆動線接続部１１１、及び、第２構造体４０に形成された第２駆動線接続部１１６から成る。【００７２】
また、温度検出素子１５と被覆層４３との間には、空所５０が設けられている。このように、第１基板２１と第２基板４１とが積層され、温度検出素子１５と被覆層４３との間に空所５０を設けることで、温度検出素子１５において空所を高い精度で設けることが可能となる。更には、後述するように、赤外線が入射する側には、赤外線吸収層６１が形成されており、空所の底部に位置する被覆層４３の領域には、赤外線反射層６２が形成されている。【００７３】
尚、実施例１あるいは後述する実施例２〜実施例１３にあっては、
第１の方向、及び、第１の方向とは異なる第２の方向に配列された複数の温度検出素子１５，２１５を備えており、
更に、第１の方向に沿って配設され、それぞれに複数の温度検出素子１５，２１５が接続された複数の駆動線７２、及び、第２の方向に沿って配設され、それぞれに複数の温度検出素子１５，２１５が接続された複数の信号線７１、
を更に備えている。図面において、駆動回路が形成された層を、模式的に参照番号４２で示し、駆動回路が形成された層４２に設けられた各種配線あるいは配線層（図示した例では３層であるが、これに限定するものではない）を模式的に参照番号４２’で示す。ここで、第１構造体２０は、図８に示すように、温度検出素子１５を備えた温度検出素子アレイ領域１１（点線で囲んで示す）、及び、温度検出素子アレイ領域１１を取り囲む周辺領域１２を有しており、周辺領域１２及び次に述べる周辺領域１４において、信号線７１は、信号線接続部１００を介して駆動回路と電気的に接続されており、周辺領域１２，１４において、駆動線７２は、駆動線接続部１１０を介して駆動回路と電気的に接続されている。尚、第２構造体４０における中央領域を参照番号１３で示し、第２構造体４０における周辺領域を参照番号１４で示す。【００７４】
第２構造体４０における周辺領域１４には、例えば、駆動回路を構成する差動積分回路を含むアナログ・フロント・エンド（ＡＦＥ）８３、サンプルホールド回路８４及びアナログ−デジタル変換回路（ＡＤＣ）８５が設けられた領域、並びに、定電流回路８２及び垂直走査回路８１が配置されている。差動積分回路は増幅器（プリアンプ）としての機能を有する。また、第２構造体４０における中央領域１３には、例えば、駆動回路を構成する水平走査回路８６、ＣＰＵ（あるいはＤＳＰ）、信号処理回路、記憶装置（例えば、メモリや不揮発性メモリ）等が配置されている。尚、ＣＰＵ（あるいはＤＳＰ）、信号処理回路、記憶装置の図示は省略した。第２構造体４０に備えられた駆動回路は、周知の駆動回路から構成することができる。【００７５】
実施例１の撮像装置は、第１形態の撮像装置に関し、
第１信号線接続部１０１は、第１構造体２０に形成された第１Ａ接続孔１０２から成り、
第２信号線接続部１０６は、第２構造体４０に形成された第１Ｂ接続孔１０７から成り、
第１駆動線接続部１１１は、第１構造体２０に形成された第２Ａ接続孔１１２から成り、
第２駆動線接続部１１６は、第２構造体４０に形成された第２Ｂ接続孔１１７から成り、
第１Ａ接続孔１０２と第１Ｂ接続孔１０７とは、一体となって接続され、第１接続孔１００’を構成し、
第２Ａ接続孔１１２と第２Ｂ接続孔１１７とは、一体となって接続され、第２接続孔１１０’を構成する。【００７６】
ここで、実施例１の撮像装置にあっては、
第１Ａ接続孔１０２は、
信号線７１に接続され、第２構造体４０から離れる方向に延びる第１Ａ接続孔・第１セグメント１０３、
第１Ｂ接続孔１０７に近づく方向に延びる第１Ａ接続孔・第２セグメント１０４、並びに、
第１Ａ接続孔・第１セグメント１０３と第１Ａ接続孔・第２セグメント１０４とを接続する第１Ａ接続孔・第３セグメント１０５、
から成る。また、
第２Ａ接続孔１１２は、
駆動線７２に接続され、第２構造体４０から離れる方向に延びる第２Ａ接続孔・第１セグメント１１３、
第２Ｂ接続孔１１７に近づく方向に延びる第２Ａ接続孔・第２セグメント１１４、並びに、
第２Ａ接続孔・第１セグメント１１３と第２Ａ接続孔・第２セグメント１１４とを接続する第２Ａ接続孔・第３セグメント１１５、
から成る。第１Ａ接続孔・第３セグメント１０５及び第２Ａ接続孔・第３セグメント１１５は、絶縁膜２６の上に形成された絶縁膜２７の上に形成されている。【００７７】
駆動回路から第２基板４１の下面４１’に亙り、接続用配線１２１，１２２が形成されている。そして、接続用配線１２２上には半田ボール１２３が設けられている。また、第２基板４１の下面４１’には、接続用配線１２２を覆い、半田ボール１２３を取り囲むように、ソルダーレジスト層１２４が形成されている。【００７８】
ここで、第１接続孔１００’の有する静電容量Ｃ1は、第２接続孔１１０’の有する静電容量Ｃ2よりも大きい（Ｃ1／Ｃ2＞１）。【００７９】
図２及び図３では、第１接続孔１００’及び第２接続孔１１０’を簡素化して図示した。図４Ａ及び図４Ｂに、第１接続孔１００’及び第２接続孔１１０’を拡大した模式的な一部断面図を示す。第１接続孔１００’は、第１コア部１００1、及び、第１接続孔１００’の側壁１００3と第１コア部１００1との間に配設された第１外周部（第１外周層）１００2から構成されている。同様に、第２接続孔１１０’は、第２コア部１１０1、及び、第２接続孔１１０’の側壁１１０3と第２コア部１１０1との間に配設された第２外周部（第２外周層）１１０2から構成されている。【００８０】
そして、第１接続孔１００’の平均断面積は第２接続孔１１０’の平均断面積よりも大きい構成とすることができ、この場合、図５Ａ及び図５Ｂに第１接続孔１００’及び第２接続孔１１０’の模式的な一部断面図を示すように、第１接続孔１００’の数α1と第２接続孔１１０’の数α2を同じとし（α1＝α2）、各第１接続孔１００’の平均断面積β1を各第２接続孔１１０’の平均断面積β2よりも大きくすればよい（β1＞β2）。これによって、第１コア部１００1と第１外周部１００2と第１基板２１から構成された第１コンデンサの面積を、第２コア部１１０1と第２外周部１１０2と第１基板２１から構成された第２コンデンサの面積よりも大きくすることができ、その結果、第１コンデンサの容量Ｃ1を第２コンデンサの容量Ｃ2よりも大きくすることができる。【００８１】
あるいは又、信号線接続部を含む領域（周辺領域）の模式的な一部端面図を図６に示すように、第１接続孔１００’の数α1は第２接続孔１１０’の数α2よりも多い構成とし（α1＞α2であり、図示した例では、α1＝２，α2＝１）、各第１接続孔１００’の平均断面積β1と各第２接続孔１１０’の平均断面積β2とを同じとしてもよい（β1＝β2）。これによって、第１接続孔１００’における並列接続のコンデンサの数を、第２接続孔１１０’における並列接続のコンデンサの数よりも多くすることができ、その結果、第１コンデンサの容量Ｃ1を第２コンデンサの容量Ｃ2よりも大きくすることができる。【００８２】
あるいは又、第１接続孔１００’の長さ（例えば、図２に示した例では、第１Ａ接続孔・第１セグメント１０３及び第１Ａ接続孔・第２セグメント１０４の長さ）を、第２接続孔１１０’の長さ（例えば、図３に示した例では、第２Ａ接続孔・第１セグメント１１３及び第２Ａ接続孔・第２セグメント１１４の長さ）よりも長くする構成とすることができる。そして、これによって、第１コンデンサの面積を第２コンデンサの面積よりも大きくすることができ、その結果、第１コンデンサの容量Ｃ1を第２コンデンサの容量Ｃ2よりも大きくすることができる。具体的には、例えば、第１接続孔１００’を形成すべき領域の絶縁膜２７の厚さを、第２接続孔１１０’を形成すべき領域の絶縁膜２７の厚さよりも厚くすればよい。【００８３】
あるいは又、第１外周部１００2及び第２外周部１１０2を構成する材料を同じ材料とし、第１外周部１００2は第２外周部１１０2よりも薄い構成とすることもできる。このように、第１外周部１００2を第２外周部１１０2よりも薄くすることで、第１コンデンサの容量Ｃ1を第２コンデンサの容量Ｃ2よりも大きくすることができる。あるいは又、第１外周部１００2を構成する材料の比誘電率の値ε1は第２外周部１１０2を構成する材料の比誘電率の値ε2よりも大きい構成とすることもできる。これによっても、第１コンデンサの容量Ｃ1を第２コンデンサの容量Ｃ2よりも大きくすることができる。【００８４】
尚、第１コア部１００1及び第２コア部１１０2は、例えば、銅（Ｃｕ）あるいは銅を含む材料、タングステン（Ｗ）あるいはタングステンを含む材料、ポリシリコンから構成すればよいし、第１外周部１００2及び第２外周部１１０2は、例えば、ＳｉＯ2やＳｉＮから構成すればよい。但し、第１外周部１００2及び第２外周部１１０2を構成する材料の比誘電率を変える場合には、第１外周部１００2を構成する材料を、例えば、ＳｉＮとし、第２外周部１１０2を構成する材料を、例えば、ＳｉＯ2とすればよい。第１Ａ接続孔１０２と第１Ｂ接続孔１０７とは一体となって接続され、第２Ａ接続孔１１２と第２Ｂ接続孔１１７とは一体となって接続されているが、具体的には、第１Ａ接続孔１０２と第１Ｂ接続孔１０７とを一緒に（同時に）形成して第１接続孔１００’を得ればよいし、同様に、第２Ａ接続孔１１２と第２Ｂ接続孔１１７とを一緒に（同時に）形成して第２接続孔１１０’を得ればよい。これらの形成方法として、周知のＣＶＤ法を例示することができる。より具体的には、絶縁膜２６，２７の形成後、絶縁膜２７，２６、第１基板２１及び被覆層４３に、配線４２’に至る貫通孔を形成し、絶縁膜２７，２６に信号線７１、駆動線７２に至る貫通孔を形成し、これらの貫通孔の側面に、周知の方法に基づき第１外周部１００2及び第２外周部１１０2を形成し、次いで、これらの貫通孔の内部に、周知の方法に基づき第１コア部１００1及び第２コア部１１０2を形成すればよい。【００８５】
実施例１の撮像装置にあっては、赤外線に基づき温度を検出する温度検出素子を備えた第１構造体と駆動回路を備えた第２構造体とが積層されており、温度検出素子は、信号線及び信号線接続部を介して、また、駆動線及び駆動線接続部を介して、駆動回路と電気的に接続されているので、撮像装置の一層の小型化を達成することができる。しかも、第１接続孔の有する静電容量を第２接続孔の有する静電容量よりも大きくしているので、温度検出素子から駆動回路へと出力される出力信号の電圧値をより高くすることができる結果、駆動回路において温度検出素子からの出力信号を一層大きく増幅することが可能となり、より一層高い感度を有する撮像装置を提供することができる。しかも、第１接続孔の有する静電容量を第２接続孔の有する静電容量よりも大きくしているので、温度検出素子から駆動回路へと出力される出力信号のノイズを下げることができる結果、駆動回路において温度検出素子からの出力信号を一層大きく増幅することが可能となり、より一層高い感度を有する撮像装置を提供することができる。また、各信号線に接続されるアナログ・フロント・エンドやサンプルホールド回路に使用される容量の一部として第１接続孔の有する静電容量を用いるので、回路面積を削減することもできる。【００８６】
実施例１の撮像装置の変形例の信号線接続部を含む領域（周辺領域）の模式的な一部端面図を図１０に示すように、駆動回路から第２基板４１の下面４１’に亙り、再配線１２５が形成されており、再配線１２５上には半田ボール１２３が設けられている構成とすることもできる。第２基板４１の下面４１’には、再配線１２５を覆い、半田ボール１２３を取り囲むように、ソルダーレジスト層１２４が形成されている。尚、このような構成、構造を、他の実施例に対しても適用することができる。
【実施例２】
【００８７】
実施例２は、実施例１の変形である。実施例２の撮像装置の信号線接続部を含む領域（周辺領域）の模式的な一部端面図を図１１に示し、駆動線接続部を含む領域（周辺領域）の模式的な一部端面図を図１２に示すように、実施例２の撮像装置において、第１Ａ接続孔１０２は、信号線７１に接続され、第２構造体４０に近づく方向に延びている。第１Ｂ接続孔１０７は、駆動回路に接続され、第１構造体２０に近づく方向に延びている。第１Ａ接続孔１０２の端面と第１Ｂ接続孔１０７の端面とは一体となって、第１接続孔１００’を構成している。また、第２Ａ接続孔１１２は、駆動線７２に接続され、第２構造体４０に近づく方向に延びている。第２Ｂ接続孔１１７は、駆動回路に接続され、第１構造体２０に近づく方向に延びている。第２Ａ接続孔１１２の端面と第２Ｂ接続孔１１７の端面とは一体となって、第２接続孔１１０’を構成している。【００８８】
尚、図１１、図１２、図１３、図１４、図１５及び図１６では、第１接続孔及び第２接続孔を簡素化して図示している。【００８９】
以上の点を除き、実施例２の撮像装置の構成、構造は、実施例１の撮像装置の構成、構造と同様とすることができるので、詳細な説明は省略する。
【実施例３】
【００９０】
実施例３も、実施例１の変形であり、第２形態の撮像装置、より具体的には、第２Ａ形態の撮像装置に関する。実施例３の撮像装置の信号線接続部を含む領域（周辺領域）の模式的な一部端面図を図１３に示し、駆動線接続部を含む領域（周辺領域）の模式的な一部端面図を図１４に示すように、
第１信号線接続部１３１は、第１構造体２０に形成された第１Ａ接続孔１３２、及び、第２構造体４０と対向する第１構造体２０の面に設けられ、第１Ａ接続孔１３２に接続された第１Ａ接続端部１３３から成り、
第２信号線接続部１３４は、第２構造体４０に形成された第１Ｂ接続孔１３５、及び、第１構造体２０と対向する第２構造体４０の面に設けられ、第１Ｂ接続孔１３５に接続された第１Ｂ接続端部１３６から成り、
第１駆動線接続部１４１は、第１構造体２０に形成された第２Ａ接続孔１４２、及び、第２構造体４０と対向する第１構造体２０の面に設けられ、第２Ａ接続孔１４２に接続された第２Ａ接続端部１４３から成り、
第２駆動線接続部１４４は、第２構造体４０に形成された第２Ｂ接続孔１４５、及び、第１構造体２０と対向する第２構造体４０の面に設けられ、第２Ｂ接続孔１４５に接続された第２Ｂ接続端部１４６から成り、
第１Ａ接続端部１３３と第１Ｂ接続端部１３６とは接続されており、
第２Ａ接続端部１４３と第２Ｂ接続端部１４６とは接続されており、
第１Ａ接続孔１３２及び第１Ｂ接続孔１３５は、第１接続孔１００’を構成し、
第２Ａ接続孔１４２及び第２Ｂ接続孔１４５は、第２接続孔１１０’を構成する。【００９１】
第１Ａ接続端部１３３、第１Ｂ接続端部１３６、第２Ａ接続端部１４３及び第２Ｂ接続端部１４６を構成する材料として、銅（Ｃｕ）を挙げることができる。第１Ａ接続孔１３２と第１Ａ接続端部１３３とを接続するためには、第１Ａ接続孔１３２の端面上に第１Ａ接続端部１３３を形成すればよい。同様に、第１Ｂ接続孔１３５と第１Ｂ接続端部１３６とを接続するためには、第１Ｂ接続孔１３５の端面上に第１Ｂ接続端部１３６を形成すればよい。第２Ａ接続孔１４２と第２Ａ接続端部１４３とを接続するためには、第２Ａ接続孔１４２の端面上に第２Ａ接続端部１４３を形成すればよいし、第２Ｂ接続孔１４５と第２Ｂ接続端部１４６とを接続するためには、第２Ｂ接続孔１４５の端面上に第２Ｂ接続端部１４６を形成すればよい。これらの形成方法として各種ＣＶＤ法や各種ＰＶＤ法を挙げることができる。【００９２】
第１Ａ接続端部１３３、第１Ｂ接続端部１３６、第２Ａ接続端部１４３及び第２Ｂ接続端部１４６は金属層又は合金層（具体的には、銅層）から成り、第１Ａ接続端部１３３と第１Ｂ接続端部１３６とは接合されており、第２Ａ接続端部１４３と第２Ｂ接続端部１４６とは接合されている。第１Ａ接続端部１３３と第１Ｂ接続端部１３６、第２Ａ接続端部１４３と第２Ｂ接続端部１４６とは、常温にて、あるいは、加熱した状態で、圧力（加重）を加えて、直接、接合する方法（金属−金属接合法）に基づき接合することができる。【００９３】
以上の点を除き、実施例３の撮像装置の構成、構造は、実施例１〜実施例２の撮像装置の構成、構造と同様とすることができるので、詳細な説明は省略する。
【実施例４】
【００９４】
実施例４は、実施例３の変形であり、第２Ｂ形態の撮像装置に関する。実施例４の撮像装置の信号線接続部を含む領域（周辺領域）の模式的な一部端面図を図１５に示し、駆動線接続部を含む領域（周辺領域）の模式的な一部端面図を図１６に示すように、第１Ａ接続端部１３３と第１Ｂ接続端部１３６とは、第１接合材料層１３７を介して接続されており、第２Ａ接続端部１４３と第２Ｂ接続端部１４６とは、第２接合材料層１４７を介して接続されている。第１接合材料層１３７及び第２接合材料層１４７として半田材料（例えば、半田）、インジウム（Ｉｎ）バンプ、金（Ａｕ）バンプを挙げることができる。【００９５】
以上の点を除き、実施例４の撮像装置の構成、構造は、実施例１〜実施例２の撮像装置の構成、構造と同様とすることができるので、詳細な説明は省略する。
【実施例５】
【００９６】
実施例５においては、実施例１〜実施例４において説明した撮像装置で用いた温度検出素子１５の説明を行う。尚、実施例５の撮像装置は、図１に示すように、フェース・ツー・バック構造の撮像装置である。【００９７】
実施例１〜実施例４に説明した撮像装置１０において、温度検出素子１５と温度検出素子１５との間に位置する第１基板２１の部分には、隔壁２３が形成されており、隔壁２３の底部は、被覆層４３と接合されている。ここで、隔壁２３の底部と被覆層４３とは、脱水縮合によるシリコン−酸素共有結合の形成といった方法に基づき接合されている。隔壁２３の側壁２４は、絶縁材料層、金属材料層、合金材料層及び炭素材料層から成る群から選択された少なくとも１種類の材料層から構成されている。具体的には、実施例５において、隔壁２３の側壁２４はＳｉＯ2層といった絶縁材料層から構成されている。また、隔壁２３の側壁２４によって囲まれた隔壁２３の内部は、第１基板２１の一部、具体的には、シリコン層２２から構成されている。空所５０に露出した被覆層４３の露出面は、絶縁材料層、金属材料層、合金材料層及び炭素材料層から成る群から選択された少なくとも１種類の材料層から構成されている。具体的には、実施例５において、空所５０に露出した被覆層４３の露出面はＳｉＯ2層といった絶縁材料層から構成されており、ＳｉＯ2層の下方には、被覆層４３を構成するＳｉＮ等から成る層間絶縁層（具体的には図示せず）が形成されている。尚、隔壁２３の側壁２４を、赤外線を反射する材料から構成すれば、入射した赤外線を効果的に反射することができる。【００９８】
実施例５において、温度検出素子１５は、複数（図示した例では４つ）のｐｎ接合ダイオード３０が配線３１を介して直列接続されて成るが、これに限定されるものではなく、周知の構成、構造を有する抵抗ボロメータ素子や、熱電変換素子、サーモパイル素子、焦電素子、強誘電体素子から構成することもできる。ｐｎ接合ダイオードは、周知の構成、構造を有する。温度検出素子１５は、後述するように、所謂ＭＥＭＳ技術に基づき形成される。温度検出素子１５は、第１基板２１の赤外線入射側（第１基板２１の第２面２１Ｂ）に設けられている。【００９９】
温度検出素子１５（具体的には、ｐｎ接合ダイオード３０）は、ＳｉＯ2から成る絶縁材料層から構成されたダイヤフラム部（架空部、架空薄層部）２５Ａ上に形成されている。また、隔壁２３の頂面にはＳｉＯ2から成る絶縁材料層２５Ｂが形成されている。ダイヤフラム部２５Ａと絶縁材料層２５Ｂとは、ダイヤフラム部２５Ａ及び絶縁材料層２５Ｂの延在部に相当する第１スタッド部２５Ｃ（支持脚あるいは細長い梁。以下においても同様）、第２スタッド部２５Ｄを介して、一体に形成されている。ダイヤフラム部２５Ａ、第１スタッド部２５Ｃ及び第２スタッド部２５Ｄの下には空所５０が位置する。【０１００】
温度検出素子１５の一端（複数のｐｎ接合ダイオード３０における一端に位置するｐｎ接合ダイオード３０）は、ダイヤフラム部２５Ａ及び第２スタッド部２５Ｄ上に形成された配線３１を介して、隔壁２３の上に形成された絶縁材料層２５Ｂの上に設けられた信号線７１に接続されている。また、温度検出素子１５の他端（複数のｐｎ接合ダイオード３０における他端に位置するｐｎ接合ダイオード３０）は、ダイヤフラム部２５Ａ及び第１スタッド部２５Ｃ上に形成された配線３１、更には、コンタクトホール７３を介して、隔壁２３の上方に形成された駆動線７２に接続されている。ダイヤフラム部２５Ａ、第１スタッド部２５Ｃ、第２スタッド部２５Ｄ、ｐｎ接合ダイオード３０、配線３１、信号線７１、駆動線７２は、ＳｉＯ2から成る絶縁膜２６で被覆されている。【０１０１】
温度検出素子１５（具体的には、ｐｎ接合ダイオード３０）は、シリコン層にｎ型不純物及びｐ型不純物を、例えば、イオン注入することによって形成することができる。複数の温度検出素子１５の数は、例えば、６４０×４８０（ＶＧＡ）である。第１の方向と第２の方向とは直交している。第１基板２１は、全て、又は、一部がＳＯＩ基板から構成されており、第２構造体４０はシリコン半導体基板から成る第２基板４１から構成されている。配線３１、信号線７１、駆動線７２及びコンタクトホール７３は、例えば、アルミニウム合金から形成されている。【０１０２】
赤外線が入射する温度検出素子１５の側（第１基板２１の第２面２１Ｂ）には、アルミニウム薄膜から成る赤外線吸収層６１が形成されており、空所５０の底部に位置する被覆層４３の領域には、銅薄膜から成る赤外線反射層６２が形成されている。図示した例では、赤外線反射層６２は、空所５０の底部に位置する被覆層４３の部分の一部に形成されている。また、赤外線吸収層６１は、温度検出素子１５の上方に形成されている。具体的には、絶縁膜２６の上には、絶縁膜２６と一部が接し、一部が絶縁膜２６から隙間を開けた状態（空間が設けられた状態）の赤外線吸収層６１が形成されている。赤外線反射層６２は、被覆層４３の頂面に形成されている。そして、赤外線吸収層６１が吸収すべき赤外線の波長をλIRとしたとき、赤外線吸収層６１と赤外線反射層６２との間の光学的距離Ｌ0は、
０．７５×λIR／２≦Ｌ0≦１．２５×λIR／２
又は、
０．７５×λIR／４≦Ｌ0≦１．２５×λIR／４
を満足する。実施例５において、具体的には、
Ｌ0＝λIR／４
を満足する。λIRの値は、８μｍ乃至１４μｍであり、実施例５において、具体的には、限定するものではないが、λIR＝１０μｍとした。ウィング状の赤外線吸収層６１は、隣接する温度検出素子１５の間で部分的に繋がっていてもよい。【０１０３】
各駆動線７２は、垂直走査回路８１に接続されている。そして、撮像装置の動作にあっては、垂直走査回路８１の制御下、１本の駆動線７２を選択する。一方、全ての信号線７１に定電流回路８２から一定の電流を流す。選択された温度検出素子１５にあっては、入射した赤外線に依存して温度が変化し、この温度変化は、温度検出素子１５（具体的には、ｐｎ接合ダイオード３０）の電気抵抗値に変化を生じさせる。その結果、各信号線７１に現れる電圧に変化が生じる。各信号線７１は、アナログ・フロント・エンド（ＡＦＥ）８３及びアナログ−デジタル変換回路（ＡＤＣ）８５を介して水平走査回路８６に接続されており、各信号線７１における電圧は、アナログ・フロント・エンド（ＡＦＥ）８３を構成する差動積分回路の一方の入力部に入力される。一方、差動積分回路の他方の入力部には基準電圧（参照電圧）が入力される。差動積分回路においては、温度検出素子１５の出力の増幅が図られる。そして、所定の時間経過後、差動積分回路から電圧の差分の積分値がサンプルホールド回路８４に送出され、サンプルホールド回路８４においてホールドされたアナログ値はアナログ−デジタル変換回路（ＡＤＣ）８５に出力され、アナログ−デジタル変換回路８５において電圧の差分の積分値がデジタル値に変換され、水平走査回路８６に送出される。そして、水平走査回路８６の作動によって、温度検出素子毎、順次、信号処理回路に出力され、最終的にデジタル出力として出力される。【０１０４】
尚、実施例１〜実施例４において説明したとおり、第１接続孔１００’の有する静電容量Ｃ1を第２接続孔１１０’の有する静電容量Ｃ2よりも大きくしているので、温度検出素子１５から駆動回路へと出力される出力信号（アナログ・フロント・エンド８３を構成する差動積分回路の一方の入力部に入力される信号）のノイズを低減することができる結果、駆動回路において温度検出素子１５からの出力信号を一層大きく増幅することが可能となり、より一層高い感度を有する撮像装置を提供することができる。【０１０５】
以下、実施例５の撮像装置の製造方法、特に、第１構造体２０の製造方法の概要を、ＳＯＩ基板等の模式的な一部端面図である図４２Ａ、図４２Ｂ、図４２Ｃ、図４２Ｄ、図４３Ａ、図４３Ｂ、図４３Ｃ、図４４Ａ、図４４Ｂ、図４５Ａ及び図４５Ｂを参照して説明する。【０１０６】
［工程−５００］
表面に第１シリコン層９１が形成され、第１シリコン層９１の下にＳｉＯ2層９２が形成されたＳＯＩ基板９０を準備する。ＳｉＯ2層９２の下に位置するＳＯＩ基板９０を構成するシリコン半導体基板の部分を、便宜上、『第２シリコン層９３』と呼ぶ。そして、先ず、隔壁２３の側壁２４を形成すべきＳＯＩ基板９０の第２シリコン層９３の部分をエッチングして溝部を形成し、側壁２４を構成する材料で溝部を埋め込む（図４２Ａ参照）。その後、ＳＯＩ基板９０の表面の第１シリコン層９１をパターニングすることで、ｐｎ接合ダイオード３０を形成すべき第１シリコン層９１の領域を残す。次いで、周知の方法に基づき、第１シリコン層９１にｐｎ接合ダイオード３０を形成する（図４２Ｂ参照）。【０１０７】
［工程−５１０］
その後、周知の方法に基づき、ＳｉＯ2層９２の上、及び、ｐｎ接合ダイオード３０の一部の上に、配線３１、信号線７１を形成する（図４２Ｃ参照）。次に、全面に、ＳｉＯ2から成る絶縁膜２６、コンタクトホール７３、駆動線７２を形成した後、絶縁膜２６をパターニングする（図４２Ｄ参照）。但し、コンタクトホール７３、駆動線７２は、図４２Ｄ以降の図面には図示していない。【０１０８】
［工程−５２０］
その後、第１犠牲層９４の形成（図４３Ａ参照）、赤外線吸収層６１の形成、第２犠牲層９５の形成（図４３Ｂ参照）を行った後、第２犠牲層９５に支持基板９６を貼り付ける（図４３Ｃ参照）。【０１０９】
［工程−５３０］
次に、ＳＯＩ基板９０の第２シリコン層９３を、ＣＭＰ法によって薄くする（図４４Ａ参照）。第２シリコン層９３の厚さによってＬ0が規定される。それ故、Ｌ0の値を正確に規定することが可能である。こうして図４４Ｂに示す構造を得ることができるが、側壁２４の内側の部分の第２シリコン層９３が隔壁２３に相当し、便宜上、この部分のハッチングを第２シリコン層９３のハッチングと異ならせた。【０１１０】
［工程−５４０］
駆動回路が設けられた第２構造体４０を準備する。尚、被覆層４３には、赤外線反射層６２を形成しておく。そして、周知の方法で、第２シリコン層９３と被覆層４３とを接合する（図４５Ａ参照）。そして、周辺領域１２，１４において、駆動線７２及び信号線７１と駆動回路とを、信号線接続部１００及び駆動線接続部１１０によって電気的に接続する。【０１１１】
［工程−５５０］
その後、支持基板９６を除去し、エッチング法に基づき第２犠牲層９５及び第１犠牲層９４を除去する（図４５Ｂ参照）。更には、ｐｎ接合ダイオード３０の下方に位置する第２シリコン層９３を、エッチング法に基づき除去する。こうして、図１に示した撮像装置１０を得ることができる。ＳｉＯ2層９２によって、ダイヤフラム部２５Ａ、絶縁材料層２５Ｂ、第１スタッド部２５Ｃ、第２スタッド部２５Ｄが構成される。尚、ｐｎ接合ダイオード３０の下方に位置する第２シリコン層９３が、全てが除去されていなくともよい。【０１１２】
その後、得られた撮像装置１０を真空雰囲気下でパッケージする。これによって、温度検出素子１５が配置される空間は、減圧され、あるいは又、真空とされる。空所５０も、減圧され、あるいは又、真空とされる。【０１１３】
実施例５の撮像装置において、第１基板は第２基板に形成された被覆層と接合されており、温度検出素子の下方に位置するシリコン層は、シリコン層よりもエッチングされ難い被覆層及び隔壁の側壁によって囲まれている。従って、温度検出素子と被覆層との間に、確実に、しかも、高い精度で空所を設けることができる。その結果、例えば、赤外線吸収層に、所望の波長を有する赤外線を、確実に、高い効率で吸収させることができ、温度検出素子における検出感度の向上を図ることができる。また。任意の公知の駆動回路、信号処理回路を備えた第２構造体を組み合わせることが可能となるため、撮像装置の製造コストの低減、設計自由度の向上、設計時間の短縮化を図ることができるし、入出力ピン数の削減、入出力信号帯域の低減が可能となる。【０１１４】
図１に示した実施例５の撮像装置の変形例を、図１７Ａ及び図１７Ｂに示す。図１７Ａに示す実施例５の撮像装置の変形例において、赤外線吸収層６１は絶縁膜２６の上に形成されている。図１７Ｂに示す実施例５の撮像装置の変形例において、赤外線反射層６２は、被覆層４３の内部に形成されている。図１７Ｂにおいて、赤外線吸収層６１を図１７Ａに示した構造としたが、図１に示した構造とすることもできる。また、赤外線吸収層６１を絶縁膜２６の内部に形成してもよいし、赤外線反射層６２を被覆層４３の頂面の上に形成してもよい。
【実施例６】
【０１１５】
実施例６は、実施例１〜実施例５の変形であり、フェース・ツー・フェース構造の撮像装置に関する。実施例６の撮像装置の模式的な一部端面図を図１８Ａに示す。【０１１６】
実施例６の撮像装置１０Ａにおいて、温度検出素子２１５と温度検出素子２１５との間に位置する第１基板２２１の部分と被覆層４３との間には、第１基板２２１と独立して隔壁２２３が形成されており、隔壁２２３の底部は被覆層４３と接合されている。空所５０に露出した被覆層４３の露出面は、絶縁材料層、金属材料層、合金材料層及び炭素材料層から成る群から選択された少なくとも１種類の材料層から構成されている。具体的には、実施例６の撮像装置１０Ａにおいては、空所５０に露出した被覆層４３の露出面は、ＳｉＯ2から成る。また、隔壁２２３は、絶縁材料層、金属材料層、合金材料層及び炭素材料層から成る群から選択された少なくとも１種類の材料層から構成されている。隔壁２２３は、具体的には、ＳｉＯ2から成る。参照番号２２Ａは、後述するシリコン層から延びる凸部を指し、参照番号２４Ａは凸部２２Ａの側壁を指す。【０１１７】
赤外線が入射する温度検出素子２１５の側には、赤外線吸収層６１が形成されており、空所５０の底部に位置する被覆層４３の領域には、赤外線反射層６２が形成されている。赤外線反射層６２は、被覆層４３の頂面又は被覆層４３の内部に形成されている。また、赤外線反射層６２は、空所５０の底部に位置する被覆層４３の部分に形成されていてもよいし、空所５０の底部に位置する被覆層４３の部分の一部に形成されていてもよいし、空所５０の底部に位置する被覆層４３の部分からはみ出るように形成されていてもよい。具体的には、赤外線反射層６２は、実施例５と同様の構成、構造を有する。赤外線吸収層６１は、第１基板２２１の第１面側に設けられていてもよいし、第１基板２２１の第２面側に設けられていてもよい。図１８Ａに示した実施例６において、具体的には、第１基板２２１の第２面側（第１基板２２１の第２面２２１Ｂの上）に設けられている。実施例６にあっても、赤外線吸収層６１が吸収すべき赤外線の波長をλIRとしたとき、赤外線吸収層６１と赤外線反射層６２との間の光学的距離Ｌ0は、
０．７５×λIR／２≦Ｌ0≦１．２５×λIR／２
又は、
０．７５×λIR／４≦Ｌ0≦１．２５×λIR／４
を満足する。場合によっては、空所５０と対向する温度検出素子１５の側に赤外線吸収層６１を形成してもよい。【０１１８】
以下、実施例６の撮像装置の製造方法、特に、第１構造体２０の製造方法の概要を、ＳＯＩ基板等の模式的な一部端面図である図４６Ａ、図４６Ｂ、図４６Ｃ、図４７Ａ、図４７Ｂ、図４７Ｃ及び図４７Ｄを参照して説明する。【０１１９】
［工程−６００］
先ず、実施例５と同様に、ＳＯＩ基板９０を準備する。そして、第１シリコン層側からＳＯＩ基板９０に凹部を形成した後、凹部を、例えば、絶縁材料で埋め込み、凸部２２Ａの側壁２４Ａを形成する（図４６Ａ参照）。次いで、ＳＯＩ基板９０の表面の第１シリコン層９１をパターニングすることで、ｐｎ接合ダイオード３０を形成すべき第１シリコン層９１の領域を残す。次に、周知の方法に基づき、第１シリコン層９１にｐｎ接合ダイオード３０を形成する（図４６Ｂ参照）。【０１２０】
［工程−６１０］
その後、実施例５の［工程−５１０］と同様にして、周知の方法に基づき、ＳｉＯ2層９２の上、及び、ｐｎ接合ダイオード３０の一部の上に、配線３１、信号線７１を形成する。次に、全面に、ＳｉＯ2から成る絶縁膜２６、コンタクトホール７３、駆動線７２を形成した後、絶縁膜２６をパターニングする（図４６Ｃ参照）。但し、コンタクトホール７３、駆動線７２は、図４６Ｃ以降の図面には図示していない。【０１２１】
［工程−６２０］
その後、絶縁材料から成る犠牲層９７を全面に形成し（図４７Ａ参照）、隔壁２２３を形成すべき犠牲層９７の部分をエッチングして溝部を形成し、隔壁２２３を構成する材料で溝部を埋め込むことで、隔壁２２３を得る（図４７Ｂ参照）。犠牲層９７の厚さによってＬ0が規定される。それ故、Ｌ0の値を正確に規定することが可能である。更に、隔壁２２３を形成すべき部分の犠牲層９７にエッチング用マスク層（図示せず）を形成する。【０１２２】
［工程−６３０］
次に、エッチング法に基づき犠牲層９７を除去し（図４７Ｃ参照）、更に、エッチャントを変更して、エッチング法に基づき第２シリコン層９３の一部を除去することで（図４７Ｄ参照）、ダイヤフラム部２５Ａと第２シリコン層との間に空洞５１を設ける。その後、隔壁２２３に形成しておいたエッチング用マスク層を除去する。尚、空洞５１の断面形状は図示した形状に限定されない。【０１２３】
［工程−６４０］
駆動回路が設けられた第２構造体４０を準備する。尚、被覆層４３には、赤外線反射層６２を形成しておく。そして、周知の方法で、隔壁２２３と被覆層４３とを、真空雰囲気下で接合する。次いで、周辺領域１２，１４において、駆動線７２及び信号線７１と駆動回路とを、信号線接続部１００及び駆動線接続部１１０によって電気的に接続する。こうして、図１８Ａに示した撮像装置１０Ａを得ることができる。その後、得られた撮像装置１０をパッケージする。【０１２４】
図１８Ｂに模式的な一部端面図を示すように、赤外線吸収層６１は、第１基板２２１の第１面２２１Ａに設けられていてもよい。あるいは又、図１９Ａに模式的な一部端面図を示すように、赤外線吸収層６１は、第１基板２２１の内部に設けられていてもよい。あるいは又、図１９Ｂに模式的な一部端面図を示すように、赤外線吸収層６１は、ダイヤフラム部２５Ａの赤外線入射側に設けられていてもよい。【０１２５】
また、実施例６の撮像装置において、図２０に模式的な一部端面図を示すように、赤外線が入射する第１基板２２１の面（第１基板２２１の第２面２２１Ｂ）に、シリコン半導体基板から成る保護基板２２２が取り付けられて（貼り合わされて）いてもよい。
【実施例７】
【０１２６】
実施例７は、実施例１〜実施例６の変形である。実施例７にあっては、模式的な一部端面図を図２１Ａ（実施例５の変形例）及び図２１Ｂ（実施例６の変形例）に示すように、被覆層４３には、金属材料、カーボンフィルムやカーボンナノチューブといったカーボン系材料、あるいは、有機系材料から成る熱伝導層（熱均一化層）６３が形成されている。具体的には、熱伝導層６３は、被覆層４３の内部であって、赤外線反射層６２の下方に配設されている。熱伝導層６３の形成によって、温度のより一層の均一化、温度分布のより一層の均一化を図ることができる。場合によっては、熱伝導層（熱均一化層）６３を真空層から構成することもできる。また、温度検出素子アレイ領域１１の領域に依存して、熱伝導層（熱均一化層）６３の構成を変えてもよい。【０１２７】
以上の点を除き、実施例７の撮像装置の構成、構造は、実施例１〜実施例６の撮像装置の構成、構造と同様とすることができるので、詳細な説明は省略する。尚、熱伝導層（熱均一化層）を、実施例１〜実施例６の撮像装置以外の撮像装置（例えば、可視光に基づき撮像を行う撮像装置）に適用することもできる。
【実施例８】
【０１２８】
実施例８は、実施例１〜実施例７の変形である。実施例８にあっては、模式的な一部端面図を図２２Ａ（実施例５の変形例）及び図２２Ｂ（実施例６の変形例）に示すように、被覆層４３には（具体的には、被覆層４３の内部には）、タングステン（Ｗ）から成る温度制御層６４が形成されており、被覆層４３には、シリコンダイオードから成る温度検知手段（図示せず）が設けられている。温度制御層６４はヒータ（抵抗体、抵抗部材）として機能する。尚、温度制御層は配線を兼ねている構成とすることもできる。そして、温度検知手段の温度検知結果に基づき、駆動回路は温度制御層６４を制御する。具体的には、例えば、温度制御層６４に流す電流を制御することで、温度制御層６４の発熱量を制御する。尚、温度制御層６４を制御するために温度制御層６４と駆動回路を結ぶ配線の図示は省略した。【０１２９】
即ち、温度検知手段の温度検知結果を受け取った駆動回路（具体的には、ＣＰＵあるいはＤＳＰ）は、受け取った温度検知結果に基づき被覆層４３の温度分布を求める。そして、駆動回路は、必要とされる熱量を計算し、個別に温度制御層６４に流す電流の値を制御することで、被覆層４３の温度の均一化、温度分布の均一化（面内温度バラツキ発生の抑制）、更には、第１基板２１，２２１の温度の均一化、温度分布の均一化、温度検出素子１５の温度の均一化、温度分布の均一化を図る。従って、例えば、アナログロジックブロックの電流量が変化し、アナログロジックブロックにおける発熱量が変化した場合にも、容易に温度制御を行うことができる。温度制御層６４による温度制御の範囲を逸脱した場合、駆動回路は、アナログロジックブロックにおける電流量の制御、アナログロジックブロックにおける動作クロックの制御を行うことで、温度の均一化、温度分布の均一化を図ることができる。尚、温度制御層６４を設けずに、駆動回路が、アナログロジックブロックにおける電流量の制御、アナログロジックブロックにおける動作クロックの制御を行うことで、温度の均一化、温度分布の均一化を図ることも可能である。温度制御層６４によって制御される温度を、例えば、室温よりも高く設定することで、温度制御層６４は、一種のオン／オフ動作となり、温度制御層６４の消費電力の低下を図ることが可能となる。また、実施例７において説明した熱伝導層６３と組み合わせることで、より一層、温度の均一化、温度分布の均一化を図ることができる。この場合、温度制御層６４の上方に熱伝導層６３を配設することが好ましい。場合によっては、温度制御層６４は赤外線反射層６２を兼ねていてもよい。【０１３０】
温度検出素子１５と温度制御層６４の配置状態を模式的に図２３及び図２４に例示するが、温度検出素子１５の正射影像と温度制御層６４の正射影像とは重なっていてもよいし（図２３参照）、温度検出素子１５の正射影像と温度検出素子１５の正射影像との間に温度制御層６４の正射影像が位置する配置とすることもできる（図２４参照）。温度制御層６４の面積や配置位置、配置密度は、温度の均一化、温度分布の均一化を達成できるような面積や配置位置、配置密度とすればよい。尚、温度検出素子１５よりも温度制御層６４は下方に位置するので、図２３、図２４において、温度制御層６４を点線で示した。【０１３１】
ここで、第１構造体２０は、複数の温度検出素子１５を備えた温度検出素子アレイ領域１１、及び、温度検出素子アレイ領域１１を取り囲む周辺領域１２を備えており、温度制御層６４は温度検出素子アレイ領域１１に形成されている構成とすることが好ましい。あるいは又、温度制御層６４は、温度検出素子アレイ領域の正射影像が存在する被覆層４３の領域に形成されていることが好ましい。あるいは又、駆動回路は、アナログ−デジタル変換回路（ＡＤＣ）を備えており、温度検出素子アレイ領域の正射影像が存在する駆動回路の領域には、アナログ−デジタル変換回路が配設されていない構成とすることが好ましい。【０１３２】
以上の点を除き、実施例８の撮像装置の構成、構造は、実施例１〜実施例７の撮像装置の構成、構造と同様とすることができるので、詳細な説明は省略する。尚、温度制御層を、実施例１〜実施例７の撮像装置以外の撮像装置（例えば、可視光に基づき撮像を行う撮像装置）に適用することもできる。
【実施例９】
【０１３３】
実施例９は、本開示の第２構成の撮像装置及び第３構成の撮像装置に関する。【０１３４】
室温前後の温度にある物体からの放射スペクトルは、波長１０μｍ付近にピークを有する（図２７における放射スペクトル「Ｂ」を参照）。尚、図２７の放射スペクトル「Ａ」は、室温よりも高い温度にある物体からの放射スペクトルを示す。そして、例えば、このピーク波長よりも短い感度波長を有する温度検出素子と、このピーク波長よりも長い感度波長を有する温度検出素子とを同一画素内において組み合わせることで、２つの温度検出素子からの信号の強度の比率から、物体の温度を高い精度で測定することが可能となる。【０１３５】
実施例９の撮像装置にあっては、
赤外線に基づき温度を検出する温度検出素子ユニットを備えており、
温度検出素子ユニットは、複数の温度検出素子１５Ａ，１５Ｂが並置されて成り、
温度検出素子ユニットにおいて、各温度検出素子１５Ａ，１５Ｂが検出する赤外線の波長は異なっている。尚、実施例９にあっては、複数の温度検出素子ユニットが、第１の方向、及び、第１の方向とは異なる第２の方向に（具体的には、２次元マトリクス状に）配列されている。【０１３６】
そして、実施例９の撮像装置において、各温度検出素子１５Ａ，１５Ｂは、赤外線入射側に赤外線吸収層６１，６１Ａ，６１Ｂを有し、赤外線入射側とは反対側に赤外線反射層６２，６２Ａ，６２Ｂを有しており、
温度検出素子ユニットにおいて、各温度検出素子１５Ａ，１５Ｂにおける赤外線吸収層６１，６１Ａ，６１Ｂと赤外線反射層６２，６２Ａ，６２Ｂとの間の光学的距離Ｌ0，Ｌ0’は異なっており、
各温度検出素子１５Ａ，１５Ｂにおける光学的距離Ｌ0，Ｌ0’は、温度検出素子１５Ａ，１５Ｂを構成する赤外線吸収層６１，６１Ａ，６１Ｂが吸収すべき赤外線の波長をλIR-A，λIR-Bとしたとき、
０．７５×λIR-A／２≦Ｌ0≦１．２５×λIR-A／２
又は、
０．７５×λIR-A／４≦Ｌ0≦１．２５×λIR-A／４
を満足し、
０．７５×λIR-B／２≦Ｌ0’≦１．２５×λIR-B／２
又は、
０．７５×λIR-B／４≦Ｌ0’≦１．２５×λIR-B／４
を満足する。また、各温度検出素子１５Ａ，１５Ｂは、赤外線入射側に赤外線吸収層６１，６１Ａ，６１Ｂを有し、赤外線入射側とは反対側に赤外線反射層６２，６２Ａ，６２Ｂを有しており、
温度検出素子ユニットにおいて、各温度検出素子１５Ａ，１５Ｂにおける赤外線吸収層６１，６１Ａ，６１Ｂを構成する材料、構成、構造、又は、赤外線反射層６２，６２Ａ，６２Ｂを構成する材料、構成、構造、又は、赤外線吸収層６１，６１Ａ，６１Ｂを構成する材料、構成、構造及び赤外線反射層６２，６２Ａ，６２Ｂを構成する材料、構成、構造は、異なっている。即ち、具体的には、前記（ケースＡ）、（ケースＢ）、（ケースＣ）において説明したとおりである。【０１３７】
あるいは又、実施例９の撮像装置は、
赤外線に基づき温度を検出する温度検出素子ユニットを備えており、
温度検出素子ユニットは、複数の温度検出素子１５Ａ，１５Ｂが並置されて成り、
温度検出素子ユニットにおいて、各温度検出素子１５Ａ，１５Ｂの赤外線吸収量は異なっている。尚、この実施例９にあっても、複数の温度検出素子ユニットが、第１の方向、及び、第１の方向とは異なる第２の方向に（具体的には、２次元マトリクス状に）配列されている。【０１３８】
そして、実施例９の撮像装置において、
各温度検出素子１５Ａ，１５Ｂは、赤外線入射側に赤外線吸収層６１，６１Ａ，６１Ｂを有し、赤外線入射側とは反対側に赤外線反射層６２，６２Ａ，６２Ｂを有しており、
温度検出素子ユニットにおいて、各温度検出素子１５における赤外線吸収層６１，６１Ａ，６１Ｂを構成する材料、又は、赤外線反射層６２，６２Ａ，６２Ｂを構成する材料、又は、赤外線吸収層６１，６１Ａ，６１Ｂを構成する材料及び赤外線反射層６２，６２Ａ，６２Ｂを構成する材料は、異なっている。また、実施例９の撮像装置において、
各温度検出素子１５Ａ，１５Ｂは、赤外線入射側に赤外線吸収層６１，６１Ａ，６１Ｂを有し、赤外線入射側とは反対側に赤外線反射層６２，６２Ａ，６２Ｂを有し、
温度検出素子ユニットにおいて、各温度検出素子１５における赤外線吸収層６１，６１Ａ，６１Ｂ、又は、赤外線反射層６２，６２Ａ，６２Ｂ、又は、赤外線吸収層６１，６１Ａ，６１Ｂ及び赤外線反射層６２，６２Ａ，６２Ｂの面積、又は、厚さ、又は、面積及び厚さは異なっている。即ち、具体的には、前記（ケースａ）、（ケースｂ）、（ケースｃ）、（ケースｄ）、（ケースｅ）、（ケースｆ）、（ケースｇ）、（ケースｈ）、（ケースｉ）において説明したとおりである。【０１３９】
より具体的には、模式的な一部端面図を図２５Ａに示すように、温度検出素子１５Ａと温度検出素子１５Ｂにおける赤外線吸収層６１Ａ，６１Ｂの構造が異なっている。これによって、温度検出素子１５Ａ，１５ＢにおけるＬ0，Ｌ0’の値を変えることができ、各温度検出素子１５Ａ，１５Ｂが検出する赤外線の波長を異ならせることができるし、各温度検出素子１５Ａ，１５Ｂの赤外線吸収量を異ならせることができる。【０１４０】
あるいは又、模式的な一部端面図を図２５Ｂに示すように、温度検出素子１５Ａと温度検出素子１５Ｂにおける赤外線吸収層６１Ａ，６１Ｂの構造は同じであるが、形成されている位置が異なっている。これによっても、温度検出素子１５Ａ，１５ＢにおけるＬ0，Ｌ0’の値を変えることができ、各温度検出素子１５Ａ，１５Ｂが検出する赤外線の波長を異ならせることができる。【０１４１】
２種類の温度検出素子１５Ａ及び温度検出素子１５Ｂから温度検出素子ユニットを構成する場合の温度検出素子１５Ａ及び温度検出素子１５Ｂの配置を図２６Ａに例示する。１画素を構成する４つの温度検出素子１５Ａ，１５Ｂから構成された温度検出素子ユニットを点線で囲んで示す。尚、２つの温度検出素子１５Ａ，１５Ｂから温度検出素子ユニットを構成することもできる。また、３種類の温度検出素子１５Ａ、温度検出素子１５Ｂ及び温度検出素子１５Ｃから温度検出素子ユニットを構成する場合の温度検出素子１５Ａ、温度検出素子１５Ｂ及び温度検出素子１５Ｃの配置を図２６Ｂに例示する。高い空間分解が要求される赤外線波長に対応する温度検出素子を温度検出素子１５Ａとすればよい。【０１４２】
実施例９の撮像装置において、温度検出素子ユニットは複数の温度検出素子が並置されて成り、温度検出素子ユニットにおいて各温度検出素子が検出する赤外線の波長は異なっており、あるいは又、温度検出素子ユニットにおいて各温度検出素子の赤外線吸収量は異なっているので、温度検出素子毎に波長分光特性や赤外線の感度を変え得ることが可能である。そして、異なる感度波長を有する温度検出素子を同一画素内において組み合わせることで、複数の温度検出素子からの信号の強度の比率から物体の温度を高い精度で測定することが可能となる。あるいは又、高感度温度検出素子と低感度温度検出素子を組み合わせた温度検出素子ユニットとすることで、温度検出素子ユニットとしてのダイナミックレンジを変えることが可能となる。即ち、赤外線強度が高い場合には低感度温度検出素子を作動させ、赤外線強度が低い場合には高感度温度検出素子を作動させればよい。あるいは又、赤外線強度が低い状態から高い状態に被写体（あるいは環境）が変化した場合、高感度温度検出素子から低感度温度検出素子へと切り替え、赤外線強度が高い状態から低い状態に被写体（あるいは環境）が変化した場合、低感度温度検出素子から高感度温度検出素子へと切り替えればよい。【０１４３】
図２５Ａ、図２５Ｂに示した温度検出素子１５Ａ，１５Ｂの構成、構造として、実施例５において説明した温度検出素子の構成、構造を採用したが、これに限定するものではなく、実施例９の撮像装置の構成、構造は、実施例１〜実施例８において説明した撮像装置の構成、構造と同様とすることができる。あるいは又、温度検出素子ユニットが、複数の温度検出素子が並置されて成り、温度検出素子ユニットにおいて、各温度検出素子が検出する赤外線の波長は異なっており、あるいは又、温度検出素子ユニットにおいて、各温度検出素子の赤外線吸収量は異なっている限りにおいて、実施例１〜実施例８において説明した撮像装置の構成、構造に限定するものではなく、他の構成、構造を有する撮像装置に適用することもできる。
【実施例１０】
【０１４４】
実施例１０は、第５構成の撮像装置に関する。【０１４５】
前述したとおり、第２の方向に沿って配列された複数の温度検出素子が接続された信号線に差動積分回路を配置した場合、温度検出素子から出力される信号を差動積分回路によって積分するのに必要とされる時間が十分ではない場合がある。【０１４６】
実施例１０の撮像装置は、このような問題を解決するために、図２８に等価回路図を示すように、
第１の方向、及び、第１の方向とは異なる第２の方向に（具体的には、２次元マトリクス状に）、Ｍ0×Ｎ0個（但し、Ｍ0≧２，Ｎ0≧２）、配列された、赤外線に基づき温度を検出する温度検出素子、
第１の方向に沿って配設された複数の駆動線７２、
第２の方向に沿って配設されたＮ0×Ｐ0本（但し、Ｐ0≧２）の信号線、
複数の駆動線７２が接続された第１駆動回路（具体的には、垂直走査回路８１）、及び、
Ｎ0×Ｐ0本の信号線が接続された第２駆動回路（具体的には、水平走査回路８６等）、
を備えている。そして、
各温度検出素子は、第１端子部（具体的には、複数のｐｎ接合ダイオード３０における一端に位置するｐｎ接合ダイオード３０）、及び、第２端子部（具体的には、複数のｐｎ接合ダイオード３０における他端に位置するｐｎ接合ダイオード３０）を備えており、
各温度検出素子の第１端子部は、駆動線７２に接続されており、
第（ｎ，ｐ）番目の信号線（但し、ｎ＝１，２・・・，Ｎ0、ｐ＝１，２・・・，Ｐ0）は、第２の方向に沿って配設された第ｎ番目のＮ0個の温度検出素子から構成された温度検出素子群における第｛（ｑ−１）Ｐ0＋ｐ｝番目の温度検出素子（但し、ｑ＝１，２，３・・・）の第２端子部に接続されている。【０１４７】
実施例１０にあっては、より具体的には、Ｐ0＝２とした。従って、ｐの値は、１又は２である。即ち、信号線の数は２Ｎ0本である。奇数番目の信号線７１Ａ（７１1,1，７１2,1，７１3,1・・・）に接続された温度検出素子を参照番号６１５Ａで示し、偶数番目の信号線７１Ｂ（７１1,2，７１2,2，７１3,2・・・）に接続された温度検出素子を参照番号６１５Ｂで示す。【０１４８】
ｐ＝１としたとき、第（ｎ，１）番目の信号線は、第２の方向に沿って配設された第ｎ番目のＮ0個の温度検出素子から構成された温度検出素子群における第｛（ｑ−１）Ｐ0＋１｝番目の温度検出素子（但し、ｑ＝１，２，３・・・）、即ち、奇数番目の温度検出素子６１５Ａの第２端子部に接続されている。また、ｐ＝２としたとき、第（ｎ，２）番目の信号線は、第２の方向に沿って配設された第ｎ番目のＮ0個の温度検出素子から構成された温度検出素子群における第｛（ｑ−１）Ｐ0＋２｝番目の温度検出素子（但し、ｑ＝１，２，３・・・）、即ち、偶数番目の温度検出素子６１５Ｂの第２端子部に接続されている。【０１４９】
ここで、実施例１０の撮像装置において、各信号線７１Ａ，７１Ｂは、第２駆動回路を構成するアナログ・フロント・エンド（ＡＦＥ）８３ａ，８３ｂ、サンプルホールド回路８４及びアナログ−デジタル変換回路（ＡＤＣ）８５ａ，８５ｂに接続されており、アナログ・フロント・エンド８３ａ，８３ｂは差動積分回路を有する。差動積分回路を含むアナログ・フロント・エンド８３ａ，８３ｂ、アナログ−デジタル変換回路８５ａ，８５ｂは、周知の回路構成とすることができる。【０１５０】
このように、第２の方向に沿って配列された一群の温度検出素子６１５Ａ，６１５Ｂを、２つのグループ（第２の方向に沿って配列された奇数番目の温度検出素子６１５Ａ、及び、第２の方向に沿って配列された偶数番目の温度検出素子６１５Ｂ）に分け、それぞれのグループの温度検出素子６１５Ａ，６１５Ｂを信号線７１Ａ，７１Ｂに接続する。即ち、第２の方向に沿って配列された温度検出素子６１５Ａ，６１５Ｂを２本の信号線７１Ａ，７１Ｂに接続する。従って、第２の方向に沿って配列された温度検出素子を１本の信号線に接続する場合と比較して、差動積分回路が並列に配置されているが故に、温度検出素子から出力される信号を差動積分回路によって積分するのに必要とされる時間を２倍とすることができ、高い感度を有し、低ノイズ化された撮像装置を提供することができる。このような実施例１０の撮像装置の構成、構造を、実施例１〜実施例９において説明した撮像装置に適用することができる。場合によっては、このような実施例１０の撮像装置の構成、構造を、実施例１〜実施例９において説明した撮像装置以外の構成、構造を有する撮像装置（例えば、可視光に基づき撮像を行う撮像装置）に適用することもできる。【０１５１】
温度検出素子６１５Ａ，６１５Ｂあるいは撮像装置の構成、構造は、実施例１〜実施例８において説明した温度検出素子１５あるいは撮像装置の構成、構造と同様とすることができる。あるいは又、温度検出素子６１５Ａ，６１５Ｂの構成、構造を、実施例９において説明した温度検出素子１５Ａ，１５Ｂの構成、構造と同様とすることができる。それ故、温度検出素子６１５Ａ，６１５Ｂあるいは撮像装置の説明は省略する。【０１５２】
尚、模式的な一部端面図を図２９に示し、撮像装置の構成要素の配置状態を模式的に図３０に示すように、空所５０は、隣接する２×ｋ個の温度検出素子６１５（但し、ｋは１以上の整数であり、図示した例では、ｋ＝１）において共有化されている構造とすることもできる。尚、空所５０を明確化するために、図３０において、空所５０に斜線を付した。また、信号線７１Ａ，７１Ｂ、駆動線７２を太い実線で示し、配線３１の一部分も太い実線で示した。後述する図３２においても同様である。温度検出素子６１５の検出感度を高めるためには、第１スタッド部２５Ｃ及び第２スタッド部２５Ｄを介した熱の散逸をできる限り抑制する必要がある。図２９に示す例では、第１の方向に沿って隣接する２つの温度検出素子で第１スタッド部２５Ｃの一部が共有されているので、第１スタッド部２５Ｃを介した熱の散逸を抑制することができる。尚、図２９、図３０に示した空所５０の構造を、実施例１〜実施例９において説明した撮像装置に適用することができる。【０１５３】
以下、実施例１０の撮像装置の変形例を説明する。【０１５４】
図３１に等価回路図に示し、構成要素の配置状態を模式的に図３２に示すように、実施例１０の撮像装置の変形例にあっては、
複数の駆動線の本数は、Ｍ0／Ｐ0であり、
第ｍ番目の駆動線（但し、ｍ＝１、２・・・，Ｍ0／Ｐ0）は、第１の方向に沿って配設された第｛（ｍ−１）Ｐ0＋ｐ’｝番目のＭ0個の温度検出素子（但し、ｐ’＝１，２・・・Ｐ0の全ての値）から構成された温度検出素子群に共通である。【０１５５】
実施例１０にあっては、より具体的には、前述したとおり、Ｐ0＝２とした。従って、ｐ’の値は、１及び２である。即ち、第ｍ番目の駆動線７２mは、第１の方向に沿って配設された第｛（ｍ−１）Ｐ0＋ｐ’｝番目のＭ0個の温度検出素子（具体的には、第｛（ｍ−１）Ｐ0＋１｝番目のＭ0個の温度検出素子、及び、第｛（ｍ−１）Ｐ0＋２｝番目のＭ0個の温度検出素子の全て）から構成された温度検出素子群に共通である。【０１５６】
そして、図３１に示した実施例１０の撮像装置の変形例において、
温度検出素子６１５Ａ，６１５Ｂは、温度検出素子用基板（第１基板２１）に設けられた空所５０の上方に配設されており、
温度検出素子用基板（第１基板２１）に設けられた第１接続部（具体的には、駆動線７２の一部）と、温度検出素子６１５Ａ，６１５Ｂの第１端子部（具体的には、複数のｐｎ接合ダイオード３０における一端に位置するｐｎ接合ダイオード３０）とは、第１スタッド部２５Ｃを介して（具体的には、一部が共有化された第１スタッド部２５Ｃを介して）接続されており、
温度検出素子用基板（第１基板２１）に設けられた第２接続部（具体的には、信号線７１Ａ，７１Ｂの一部）と、温度検出素子６１５Ａ，６１５Ｂの第２端子部（具体的には、複数のｐｎ接合ダイオード３０における他端に位置するｐｎ接合ダイオード３０）とは、第２スタッド部２５Ｄを介して（具体的には、一部が共有化された第２スタッド部２５Ｄを介して）接続されている。【０１５７】
あるいは又、Ｐ0＝２であり、
第２の方向に隣接する２つの温度検出素子６１５Ａ，６１５Ｂのそれぞれの第２端子部は、１つの第２スタッド部２５Ｄを介して（具体的には、一部が共有化された第２スタッド部２５Ｄを介して）温度検出素子用基板（第１基板２１）に設けられた第２接続部（信号線７１Ａ，７１Ｂの一部）に接続されており、
第１の方向に隣接する２つの温度検出素子６１５Ａあるいは温度検出素子６１５Ｂと、第２の方向に隣接する２つの温度検出素子６１５Ａ，６１５Ｂの、合計４つの温度検出素子６１５Ａ，６１５Ｂのそれぞれの第１端子部は、１つの第１スタッド部２５Ｃを介して（具体的には、一部が共有化された第１スタッド部２５Ｃを介して）温度検出素子用基板（第１基板２１）に設けられた第１接続部（駆動線７２の一部）に接続されている。【０１５８】
温度検出素子６１５の検出感度を高めるためには、第１スタッド部２５Ｃ及び第２スタッド部２５Ｄを介した熱の散逸をできる限り抑制する必要がある。図３１に示す例では、第１の方向及び第２の方向に沿って隣接する４つの温度検出素子で第１スタッド部２５Ｃの一部が共有されており、第２の方向に沿って隣接する２つの温度検出素子で第２スタッド部２５Ｄの一部が共有されているので、第１スタッド部２５Ｃ、第２スタッド部２５Ｄを介した熱の散逸を抑制することができる。尚、図３１に示した空所５０の構造を、実施例１〜実施例９において説明した撮像装置に適用することができる。
【実施例１１】
【０１５９】
実施例１１は、第６構成の撮像装置に関する。等価回路図を図３３に示すように、実施例１１の撮像装置は、
第１の方向、及び、第１の方向とは異なる第２の方向に（具体的には、２次元マトリクス状に）、Ｓ0×Ｔ0個（但し、Ｓ0≧２，Ｔ0≧２）、配列された、赤外線に基づき温度を検出する温度検出素子７１５Ａ，７１５Ｂ、
第１の方向に沿って配設されたＳ0×Ｕ0本（但し、Ｕ0≧２）の駆動線７２、
第２の方向に沿って配設された複数の信号線７１、
Ｓ0×Ｕ0本の駆動線７２が接続された第１駆動回路（具体的には、垂直走査回路８１）、及び、
複数の信号線７１が接続された第２駆動回路（具体的には、水平走査回路８６等）、
を備えている。そして、
各温度検出素子７１５Ａ，７１５Ｂは、第１端子部（具体的には、複数のｐｎ接合ダイオード３０における一端に位置するｐｎ接合ダイオード３０）、及び、第２端子部（具体的には、複数のｐｎ接合ダイオード３０における他端に位置するｐｎ接合ダイオード３０）を備えており、
各温度検出素子７１５Ａ，７１５Ｂの第２端子部は、信号線７１に接続されており、
第（ｓ，ｕ）番目の駆動線７２（但し、ｓ＝１，２・・・，Ｓ0、ｕ＝１，２・・・，Ｕ0）は、第１の方向に沿って配設された第ｓ番目のＳ0個の温度検出素子７１５Ａ，７１５Ｂから構成された温度検出素子群における第｛（ｔ−１）Ｕ0＋ｕ｝番目の温度検出素子７１５Ａ，７１５Ｂ（但し、ｔ＝１，２，３・・・）の第１端子部に接続されている。【０１６０】
実施例１１にあっては、より具体的には、Ｕ0＝２とした。従って、ｕの値は、１又は２である。即ち、駆動線の数は２Ｓ0本である。奇数番目の駆動線７２Ａ（７２1,1，７２2,1，７２3,1・・・）に接続された温度検出素子を参照番号７１５Ａで示し、偶数番目の駆動線７２Ｂ（７２1,2，７２2,2，７２3,3・・・）に接続された温度検出素子を参照番号７１５Ｂで示す。【０１６１】
ｕ＝１としたとき、第（ｓ，１）番目の駆動線は、第１の方向に沿って配設された第ｓ番目のＳ0個の温度検出素子から構成された温度検出素子群における第｛（ｔ−１）Ｕ0＋１｝番目の温度検出素子（但し、ｔ＝１，２，３・・・）、即ち、奇数番目の温度検出素子７１５Ａの第１端子部に接続されている。また、ｕ＝２としたとき、第（ｓ，２）番目の駆動線は、第１の方向に沿って配設された第ｓ番目のＳ0個の温度検出素子から構成された温度検出素子群における第｛（ｔ−１）Ｐ0＋２｝番目の温度検出素子（但し、ｔ＝１，２，３・・・）、即ち、偶数番目の温度検出素子７１５Ｂの第２端子部に接続されている。【０１６２】
このように、第１の方向に沿って配列された一群の温度検出素子７１５Ａ，７１５Ｂを、２つのグループ（第１の方向に沿って配列された奇数番目の温度検出素子７１５Ａ、及び、第１の方向に沿って配列された偶数番目の温度検出素子７１５Ｂ）に分け、それぞれのグループの温度検出素子７１５Ａ，７１５Ｂを駆動線７２Ａ，７２Ｂに接続する。即ち、第１の方向に沿って配列された温度検出素子７１５Ａ，７１５Ｂを２本の駆動線７２Ａ，７２Ｂに接続する。従って、駆動線を流れる電流の電流密度低減を図ることができる結果、温度検出素子の駆動における消費電力の低減を図ることができるし、例えば、駆動線における電圧低下の抑制を図ることができる。このような実施例１１の撮像装置の構成、構造を、実施例１〜実施例１０において説明した撮像装置に適用することができる。場合によっては、このような実施例１１の撮像装置の構成、構造を、実施例１〜実施例１０において説明した撮像装置以外の構成、構造を有する撮像装置（例えば、可視光に基づき撮像を行う撮像装置）に適用することもできる。
【実施例１２】
【０１６３】
実施例１２は、本開示の撮像装置におけるノイズ低減方法に関する。実施例１２における撮像装置は、実施例１〜実施例１１において説明した撮像装置である。即ち、実施例１２における撮像装置は、等価回路図を図３４に示すように、
赤外線に基づき温度を検出する温度検出素子１５、
温度検出素子１５が接続された駆動線７２、及び、
温度検出素子１５が接続された信号線７１、
を備えており、
駆動線７２が接続された第１駆動回路、信号線７１が接続された第２駆動回路、記憶装置（例えば、図示しない不揮発性メモリ）を更に備えており、
第２駆動回路において、信号線７１は差動積分回路８３Ａ及びアナログ−デジタル変換回路８５に接続されている。【０１６４】
ここで、実施例１〜実施例１２の撮像装置において、各信号線７１における電圧は、アナログ・フロント・エンド（ＡＦＥ）８３を構成する差動積分回路８３Ａの一方の入力部に入力される。また、差動積分回路８３Ａの他方の入力部には基準電圧（参照電圧）が、配線８３Ｂを介して入力される。配線８３Ｂは、また、定電流回路８３Ｃに接続されている。更には、各信号線７１と配線８３とを短絡するためのスイッチ手段８３Ｄが、各信号線７１と配線８３Ｂとの間に配設されている。尚、定電流回路８３Ｃを信号線毎に配設した構成により、配線抵抗による電圧降下に起因した誤差を低減することができる。即ち、定電流回路８３Ｃを信号線毎に配設すると、配線８３Ｂの電流分布と駆動線７２の電流分布を概ね同等にすることができる。電流分布が同等で、なおかつ、配線８３Ｂと駆動線７２の長さ当たりの配線抵抗値を概ね同等にすると、配線抵抗と電流の積による電圧降下を列毎にほぼ等しくすることができる。配線８３Ｂの電圧降下は差動積分回路８３Ａのプラス側の端子電圧を低下させ、駆動線７２の電圧降下は差動積分回路８３Ａのマイナス側の端子電圧を低下させるが、プラス側の端子とマイナス側の端子の等しい電圧降下は差動積分によって相殺されるため、差動積分回路８３Ａの出力端子に現れる誤差が低減される。【０１６５】
実施例１２のノイズ低減方法にあっては、先ず、温度検出素子１５を不作動の状態として、差動積分回路８３Ａをリセットする。即ち、垂直走査回路８１からの温度検出素子１５の選択を行うこと無く、スイッチ手段８３Ｄを「閉」状態とし、差動積分回路８３Ａの２つの入力部を短絡させ、差動積分回路８３Ａをリセットする。【０１６６】
次いで、温度検出素子１５を不作動の状態として、温度検出素子１５が作動状態にある時間ＴＭ0と同じ時間ＴＭ0だけ信号線７１に定電流を流し、信号線７１の電圧を差動積分回路８３Ａにおいて積分し、得られた積分値をアナログ−デジタル変換回路８５においてデジタル値に変換し、得られたデジタル値をオフセット値として記憶装置に記憶する。【０１６７】
具体的には、スイッチ手段８３Ｄを「開」状態とし、温度検出素子１５を不作動の状態のままとして、温度検出素子１５が作動状態にある時間ＴＭ0と同じ時間ＴＭ0だけ信号線７１に定電流を流す一方、差動積分回路８３Ａの他方の入力部に基準電圧（参照電圧）を配線８３Ｂを介して入力する。信号線７１の電圧（原則、無変化の電圧値）は差動積分回路８３Ａにおいて積分される。そして、時間ＴＭ0が経過した後、得られた積分値をアナログ−デジタル変換回路８５においてデジタル値に変換し、得られたデジタル値をオフセット値として記憶装置に記憶する。このように、差動積分回路８３Ａの他方の入力部には基準電圧（参照電圧）が入力され、差動積分回路８３Ａの一方の入力部には不作動の温度検出素子１５の出力が入力されるので、結局、差動積分回路８３Ａにおいて得られた積分値は、差動積分回路８３Ａにおける特性バラツキ（具体的には、差動積分回路を構成するオペアンプにおけるオフセットのバラツキ）に起因した値である。【０１６８】
次に、温度検出素子１５を実際に作動させる。ここで、温度検出素子１５を、時間ＴＭ0だけ動作状態として、信号線７１の電圧を差動積分回路８３Ａにおいて積分し、得られた積分値をアナログ−デジタル変換回路８５においてデジタル値に変換してデジタル信号値を得た後、デジタル信号値からオフセット値を減じる。【０１６９】
こうして、差動積分回路８３Ａに起因したノイズを低減させることができ、あるいは又、差動積分回路８３Ａの特性バラツキを抑制することができ、所謂縦筋固定パターンノイズを低減させることができる。以上の処理は、１撮像フレーム（１画面）を読み出す前に行えばよい。
【実施例１３】
【０１７０】
実施例１３では、実施例１〜実施例１２において説明した撮像装置を赤外線カメラに適用した例を説明する。図３５に概念図を示すように、赤外線カメラは、レンズ３０１、シャッター３０２、実施例１〜実施例１２において説明した撮像装置３０３、駆動回路３０４、電源部３０５、記憶媒体３０６、ビデオ出力部３０７、各種インターフェース３０８から構成されている。駆動回路３０４には、先に説明した各種の回路の他、例えば、画素間バラツキを補正し、また、欠陥画素の補正を行い、また、各種ノイズ除去を行う信号処理回路が含まれる。このような構成の赤外線カメラの構成要素は、撮像装置３０３を除き、周知の構成要素とすることができるので、詳細な説明は省略する。【０１７１】
以上、本開示の撮像装置を好ましい実施例に基づき説明したが、本開示の撮像装置はこれらの実施例に限定するものではない。実施例において説明した撮像装置や温度検出素子の構成、構造は例示であり、適宜、変更することができるし、撮像装置や温度検出素子を構成する材料、撮像装置や温度検出素子の製造方法も例示であり、適宜、変更することができる。場合によっては、赤外線反射層の形成を省略し、被覆層の頂面、それ自体を赤外線反射層として機能させてもよい。【０１７２】
各実施例において説明した（信号線接続部，駆動線接続部）の組み合わせとして、以下の組み合わせを挙げることができる。
（実施例１において説明した信号線接続部，実施例２において説明した駆動線接続部）
（実施例１において説明した信号線接続部，実施例３において説明した駆動線接続部）
（実施例１において説明した信号線接続部，実施例４において説明した駆動線接続部）
（実施例２において説明した信号線接続部，実施例３において説明した駆動線接続部）
（実施例２において説明した信号線接続部，実施例４において説明した駆動線接続部）
（実施例３において説明した信号線接続部，実施例４において説明した駆動線接続部）
（実施例１において説明した駆動線接続部，実施例２において説明した信号線接続部）
（実施例１において説明した駆動線接続部，実施例３において説明した信号線接続部）
（実施例１において説明した駆動線接続部，実施例４において説明した信号線接続部）
（実施例２において説明した駆動線接続部，実施例３において説明した信号線接続部）
（実施例２において説明した駆動線接続部，実施例４において説明した信号線接続部）
（実施例３において説明した駆動線接続部，実施例４において説明した信号線接続部）【０１７３】
場合によっては、以下のような構成、構造を採用することができる。即ち、各温度検出素子を、信号線及び信号線接続部（場合によっては、信号線接続部のみ）を介して、駆動回路を構成するアナログ・フロント・エンドと接続する。ここで、アナログ・フロント・エンドは、温度検出素子の直下に位置する第２基板の領域に形成されている。そして、アナログ・フロント・エンドの出力を、実施例１〜実施例４において説明した信号線の代替としての出力線を介して駆動回路へと送出する。尚、出力線と駆動回路とを接続するための接続部は、例えば、駆動線接続部と同様の構成、構造とすればよい。【０１７４】
あるいは又、各温度検出素子を、信号線及び信号線接続部（場合によっては、信号線接続部のみ）を介して、駆動回路を構成するアナログ・フロント・エンド及びアナログ−デジタル変換回路と接続する。ここで、アナログ・フロント・エンド及びアナログ−デジタル変換回路は、温度検出素子の直下に位置する第２基板の領域に形成されている。そして、アナログ−デジタル変換回路の出力を、実施例１〜実施例４において説明した信号線の代替としての出力線を介して駆動回路を構成する回路へと送出する。尚、出力線と駆動回路を構成する回路とを接続するための接続部は、例えば、駆動線接続部と同様の構成、構造とすればよい。【０１７５】
撮像装置の赤外線入射側に、例えば、レンズ等から成る集光素子を配設してもよい。例えば、図１９Ｂに示した実施例６の変形例において、第１基板２２１の第１面２２１Ａの側に集光素子（レンズ）６５を設けた例を図３７に示す。このような集光素子６５は、例えば、実施例６の［工程−６３０］において、エッチング法に基づき犠牲層９７を除去し（図４７Ｃ参照）、更に、エッチャントを変更して、エッチング法に基づき第２シリコン層９３の一部を除去して（図４７Ｄ参照）、ダイヤフラム部２５Ａと第２シリコン層との間に空洞５１を設けると同時に形成することができる。即ち、エッチング法に基づき第２シリコン層９３の一部を除去するとき、エッチング液は隔壁２２３の近傍から第２シリコン層９３へと浸入するが、エッチング条件を適切に設定することで、隔壁２２３の近傍の第２シリコン層９３の部分の方を、隔壁２２３から遠い第２シリコン層９３の部分よりも、多くエッチングすることができる。その結果、第１基板２２１（第２シリコン層９３）の第１面２２１Ａの側に集光素子（レンズ）６５を設けることができる。【０１７６】
あるいは又、例えば、図２０に示した実施例６の変形例において、第１基板２２１の面（第１基板２２１の第２面２２１Ｂ）に取り付けられたシリコン半導体基板から成る保護基板２２２の赤外線入射側に、集光素子（レンズ）６６，６７を設けてもよい（図３８Ａ及び図３８Ｂ参照）。図３８Ａに示す例は、保護基板２２２とは別の部材（例えば、レジスト材料）から集光素子６６を形成した例であり、図３８Ｂに示す例は、保護基板２２２をエッチング加工することで集光素子６７を形成した例である。これらの集光素子は、例えば、周知のオンチップ・マイクロ・レンズの形成方法と同様の方法で形成することができる。シリコン半導体基板から成る保護基板２２２の代わりに、例えば、ＣａＦ2、ＢａＦ2、Ａｌ2Ｏ3、ＺｎＳｅ等の赤外線を透過する材料から成る保護基板とすることもできる。また、図３９Ａ及び図３９Ｂに示すように、撮像装置の赤外線入射側に遮光部６８を設け、隣接する温度検出素子への赤外線の入射を抑制してもよい。遮光部６８は、例えば、保護基板２２２に溝部を形成し、この溝部に金属材料や合金材料を埋め込むことで形成することができる。集光素子６６，６７、遮光部６８は、他の実施例に対しても、適宜、適用することができることは云うまでもない。【０１７７】
また、第４構成の撮像装置として、温度検出素子ユニットを、赤外線の入射に沿って上下に配設された２つの温度検出素子（各実施例において説明した温度検出素子）から構成することもできる。図１７Ａに示した実施例１の変形例と、図１８Ａに示した実施例６を組み合わせた例を図４０に示すが、他の実施例に対しても適用することができることは云うまでもない。具体的には、このような撮像装置は、
赤外線に基づき温度を検出する温度検出素子ユニットを備えており、
温度検出素子ユニットは、赤外線の入射に沿って上下に配設された２つの温度検出素子から成り、
温度検出素子ユニットにおいて、各温度検出素子が検出する赤外線の波長は同じであり、又は、異なっており、又は、各温度検出素子の赤外線吸収量は異なっている。尚、２つの温度検出素子は、同じ駆動線及び信号線に接続されていてもよいし、異なる駆動線及び信号線に接続されていてもよい。【０１７８】
また、本開示の撮像装置を構成する温度検出素子の１つから温度検出素子を構成することもできるし、本開示の撮像装置を構成する温度検出素子を１次元に配列した撮像装置とすることもできる。即ち、広くは、本開示の撮像装置を構成する温度検出素子を、Ｊ個（但し、Ｊ≧１）、１次元に配列した撮像装置、云い換えれば、１次元に配列されたＪ個（但し、Ｊ≧１）の温度検出素子を備えている本開示の撮像装置とすることもできる。具体的には、
第１の方向に配列されたＪ個（但し、Ｊ≧１）の温度検出素子１５，２１５を備えており、
更に、第１の方向に沿って配設され、それぞれに温度検出素子１５，２１５が接続されたＪ本の駆動線７２及びＪ本の信号線７１を備えており、
第１構造体２０は、温度検出素子１５，２１５を備えた温度検出素子アレイ領域１１、及び、温度検出素子アレイ領域１１を取り囲む周辺領域１２を有しており、
周辺領域１２において、信号線７１は、信号線接続部１００を介して駆動回路と電気的に接続されており、
周辺領域１２において、駆動線７２は、駆動線接続部１１０を介して駆動回路と電気的に接続されている。【０１７９】
実施例９において説明した撮像装置においては、複数の温度検出素子を有する温度検出素子ユニットが備えられている。ここで、温度検出素子ユニットにおいて、場合によっては１つの温度検出素子を動作させればよい場合、等価回路図を図３６に示すように、ＡＦＥ８３（具体的には、差動積分回路）と信号線７１との間に、差動積分回路と信号線７１との導通状態を制御するスイッチ手段８７を設ければよい。更には、この場合、スイッチ手段８７は、差動積分回路と信号線７１との間を不導通状態とするとき、信号線７１を固定電位へと切り替えることが好ましい。これによって、撮像装置の消費電力の低減を図ることができる。尚、このような回路構成を他の実施例に適用することもできる。即ち、作動する温度検出素子の間引きを行うことで、解像度は低下するが、撮像装置の消費電力の低減を図ることができる。同様に、実施例１１において、例えば、奇数番目の駆動線あるいは偶数番目の駆動線の一方を動作させ（あるいは、複数の駆動線の組におけるいずれかの駆動線を動作させ）、作動する温度検出素子の間引きを行うことで、解像度は低下するが、撮像装置の消費電力の低減を図ることができる。また、読み出しデータ量を減少させることができ、データ出力レートの増加を図ることができる。尚、高い解像度が要求される場合には、全ての温度検出素子を作動させればよい。【０１８０】
図１７Ａに示した実施例１の変形例の撮像装置の模式的な一部端面図を図４１Ａに示すように、赤外線が入射する温度検出素子１５の側には、第１赤外線吸収層６１Ｃが形成されており、空所５０の底部に位置する被覆層４３の領域には、赤外線反射層６２が形成されており、空所５０と対向する温度検出素子１５の側には、第２赤外線吸収層６１Ｄが形成されている構成とすることができる。図示した例では、第１赤外線吸収層６１Ｃは、温度検出素子１５の上に形成された絶縁膜２６の上に形成されており、第２赤外線吸収層６１Ｄは、空所５０と対向する温度検出素子１５の面上（より具体的には、空所５０と対向するダイヤフラム部２５Ａの面上）に形成されている。赤外線吸収層６１Ｃ，６１Ｄは、赤外線を吸収するだけでなく、一部を透過し、一部を反射するため、透過や反射を低減する構造とすることで、より感度を向上させることができる。即ち、このような構成により、第１赤外線吸収層６１Ｃを透過した一部の赤外線が第２赤外線吸収層６１Ｄで更に吸収されるため、透過を低減させることができる。また、第１赤外線吸収層６１Ｃで反射した赤外線と第２赤外線吸収層６１Ｄで反射した赤外線が逆位相で打ち消し合い、反射を低減させることができる。また、第２赤外線吸収層６１Ｄを反射した赤外線と赤外線反射層６２を反射した赤外線が逆位相で打ち消し合い、反射を低減させることができる。尚、第１赤外線吸収層６１Ｃ及び第２赤外線吸収層６１Ｄが吸収すべき赤外線の波長をλIRとし、第１赤外線吸収層６１Ｃと第２赤外線吸収層６１Ｄとの光学的距離Ｌ1とし、第２赤外線吸収層６１Ｄと赤外線反射層６２との光学的距離をＬ2としたとき、
０．７５×λIR／４≦Ｌ1≦１．２５×λIR／４
０．７５×λIR／４≦Ｌ2≦１．２５×λIR／４
を満足することが好ましい。第１赤外線吸収層６１Ｃ及び第２赤外線吸収層６１Ｄを備える構成は、その他の実施例１の撮像装置やその他の実施例の撮像装置に、適宜、適用することができることは云うまでもない。【０１８１】
あるいは又、図１９Ｂに示した実施例６の変形例の撮像装置の模式的な一部端面図を図４１Ｂに示すように、赤外線が入射する温度検出素子２１５の側には、第１赤外線吸収層６１Ｃが形成されており；空所５０の底部に位置する被覆層４３の領域には、赤外線反射層６２が形成されており；空所５０と対向する温度検出素子２１５の側には、第２赤外線吸収層６１Ｄが形成されている構成とすることができる。赤外線反射層６２は、空所５０の底部に位置する被覆層４３の部分の一部に形成されている。第１赤外線吸収層６１Ｃは、第１基板２２１の第１面側に設けられている。具体的には、第１赤外線吸収層６１は、ダイヤフラム部２５Ａの赤外線入射側に設けられている。第２赤外線吸収層６１Ｄは、温度検出素子２１５の上に形成された絶縁膜２６の上に空所５０と対向して形成されている。各赤外線吸収層６１Ｃ，６１Ｄは、赤外線を吸収するだけでなく、一部を透過し、一部を反射するため、透過や反射を低減する構造とすることで、より感度を向上させることができる。即ち、このような構成により、第１赤外線吸収層６１Ｃを透過した一部の赤外線が第２赤外線吸収層６１Ｄで更に吸収されるため、透過を低減させることができる。また、第１赤外線吸収層６１Ｃで反射した赤外線と第２赤外線吸収層６１Ｄで反射した赤外線が逆位相で打ち消し合い、反射を低減させることができる。また、第２赤外線吸収層６１Ｄを反射した赤外線と赤外線反射層６２を反射した赤外線が逆位相で打ち消し合い、反射を低減させることができる。更には、これらの場合、第１赤外線吸収層６１Ｃ及び第２赤外線吸収層６１Ｄが吸収すべき赤外線の波長をλIRとし、第１赤外線吸収層６１Ｃと第２赤外線吸収層６１Ｄとの光学的距離Ｌ1とし、第２赤外線吸収層６１Ｄと赤外線反射層６２との光学的距離をＬ2としたとき、
０．７５×λIR／４≦Ｌ1≦１．２５×λIR／４
０．７５×λIR／４≦Ｌ2≦１．２５×λIR／４
を満足することが好ましい。第１赤外線吸収層６１Ｃ及び第２赤外線吸収層６１Ｄを備える構成は、その他の実施例６の撮像装置やその他の実施例の撮像装置に、適宜、適用することができることは云うまでもない。【０１８２】
信号処理回路には、ノイズを予め測定することによる固定パターンノイズ補正処理、ノイズモデルに基づくノイズ低減処理、レンズ結像モデルに基づく解像度補正処理を含めることができる。また、赤外線カメラから得られた画像と、通常の可視光に基づき撮像された画像を合成することも可能である。以下に、各種信号処理の概略を説明するが、信号処理はこれらに限定されるものではない。【０１８３】
固定パターンノイズ補正処理として、例えば、前回の撮像フレームにおいて得られた固定パターンノイズデータと今回の撮像フレームにおいて得られた固定パターンノイズデータとの差に応じた差分データを生成し、差分データと前回の撮像フレームにおいて得られた固定パターンノイズデータとを加算して新たな固定パターンノイズデータとするといった処理を挙げることができる。【０１８４】
また、無限インパルス応答（ＩＩＲ，Infinite Impulse Response）型フィルターを用いたノイズ低減処理として、例えば、
ＩＩＲフィルタ処理により、補正対象画素の近傍の参照画素の信号値の平均値を算出する第１工程と、
ＩＩＲフィルタ処理により、補正対象画素の近傍の参照画素の信号値の分散値を算出する第２工程と、
参照画素の平均値と分散値を入力し、平均値と分散値を適用したエッジ保存平滑化処理を実行する第３工程と、
第１工程と第２工程において適用するＩＩＲフィルタ係数を、画像を構成する画素の信号値に応じて更新する第４工程、
から構成されたノイズ低減処理を挙げることができる。【０１８５】
また、解像度補正処理として、複数の像高にそれぞれ設定されているぼけ補正を行うフィルタを取得し、取得されたフィルタを用いて、補正対象とされた像高における画素の画素値を補正する方法を挙げることができる。ここで、補正は、補正対象とされた像高に隣接する像高に設定されているフィルタを、補正対象とされた画素の画素値に適用し、補正対象とされた像高と隣接する像高との位置関係から係数を算出し、フィルタ適用後の画素値と係数を用いて補正後の画素値を算出する処理とすることができる。あるいは又、補正は、補正対象とされた像高と隣接する像高との位置関係から係数を算出し、補正対象とされた像高に隣接する像高に設定されているフィルタと係数を用いて、補正対象とされた画素の画素値に適用するフィルタを生成し、生成されたフィルタと補正対象とされた画素の画素値を用いて補正後の画素値を算出する処理とすることができる。更には、フィルタの係数は、第１の像高上の複数の像点からＰＳＦ（Point Spread Function）データを算出し、ＰＳＦデータを平均化し、平均化されたＰＳＦデータを所定の関数で近似し、近似されたＰＳＦデータから算出された係数とすることができ、フィルタの係数の算出はウィナーフィルタを用いることができる。【０１８６】
第１基板や第２基板に、トランジスタの温度特性を利用した半導体温度センサ素子を形成してもよい（組み込んでもよい）。尚、半導体温度センサ素子は、温度検出素子の下方に位置する第２基板の領域に形成することが好ましいし、温度検出素子に隣接した第１基板の領域に形成することが好ましい。あるいは又、赤外線に基づき温度を検出する温度検出素子に隣接して、赤外線に基づき温度を検出する温度検出素子と同じ構成、構造を有する温度検出素子（但し、赤外線吸収層を備えておらず、あるいは又、赤外線吸収層及び赤外線反射層を備えておらず、あるいは又、温度検出素子に備えられている赤外線吸収層よりも小面積の赤外線吸収層を備えている）を、温度参照用の温度検出素子として配設してもよい。温度参照用の温度検出素子に隣接した温度検出素子によって測定された温度と、温度参照用の温度検出素子によって測定された温度との差を求めることで、温度参照用の温度検出素子に隣接した温度検出素子によって測定された真の温度を得ることができる。また、異なる面積の赤外線吸収層を備えた温度検出素子を、複数、備えた温度検出素子ユニットから温度検出素子を構成することもでき、これによって、温度検出のレンジや感度を変更したり、温度検出のレンジを拡大したり、赤外線吸収波長を変更することが可能となる。【０１８７】
尚、本開示は、以下のような構成を取ることもできる。
［Ａ０１］《撮像装置》
第１構造体及び第２構造体から構成されており、
第１構造体は、
第１基板、
第１基板に設けられ、赤外線に基づき温度を検出する温度検出素子、並びに、
温度検出素子に接続された信号線及び駆動線、
を備えており、
第２構造体は、
第２基板、及び、
第２基板に設けられ、被覆層によって被覆された駆動回路、
を備えており、
第１基板と第２基板とは積層されており、
信号線は、信号線接続部を介して、駆動回路と電気的に接続されており、
駆動線は、駆動線接続部を介して、駆動回路と電気的に接続されており、
信号線接続部は、第１構造体に形成された第１信号線接続部、及び、第２構造体に形成された第２信号線接続部から成り、
駆動線接続部は、第１構造体に形成された第１駆動線接続部、及び、第２構造体に形成された第２駆動線接続部から成る撮像装置。
［Ａ０２］《撮像装置：第１形態》
第１信号線接続部は、第１構造体に形成された第１Ａ接続孔から成り、
第２信号線接続部は、第２構造体に形成された第１Ｂ接続孔から成り、
第１駆動線接続部は、第１構造体に形成された第２Ａ接続孔から成り、
第２駆動線接続部は、第２構造体に形成された第２Ｂ接続孔から成り、
第１Ａ接続孔と第１Ｂ接続孔とは、一体となって接続され、第１接続孔を構成し、
第２Ａ接続孔と第２Ｂ接続孔とは、一体となって接続され、第２接続孔を構成する［Ａ０１］に記載の撮像装置。
［Ａ０３］《撮像装置：第２形態》
第１信号線接続部は、第１構造体に形成された第１Ａ接続孔、及び、第２構造体と対向する第１構造体の面に設けられ、第１Ａ接続孔に接続された第１Ａ接続端部から成り、
第２信号線接続部は、第２構造体に形成された第１Ｂ接続孔、及び、第１構造体と対向する第２構造体の面に設けられ、第１Ｂ接続孔に接続された第１Ｂ接続端部から成り、
第１駆動線接続部は、第１構造体に形成された第２Ａ接続孔、及び、第２構造体と対向する第１構造体の面に設けられ、第２Ａ接続孔に接続された第２Ａ接続端部から成り、
第２駆動線接続部は、第２構造体に形成された第２Ｂ接続孔、及び、第１構造体と対向する第２構造体の面に設けられ、第２Ｂ接続孔に接続された第２Ｂ接続端部から成り、
第１Ａ接続端部と第１Ｂ接続端部とは接続されており、
第２Ａ接続端部と第２Ｂ接続端部とは接続されており、
第１Ａ接続孔及び第１Ｂ接続孔は、第１接続孔を構成し、
第２Ａ接続孔及び第２Ｂ接続孔は、第２接続孔を構成する［Ａ０１］に記載の撮像装置。
［Ａ０４］《撮像装置：第２Ａ形態》
第１Ａ接続端部、第１Ｂ接続端部、第２Ａ接続端部及び第２Ｂ接続端部は、金属層又は合金層から成り、
第１Ａ接続端部と第１Ｂ接続端部とは接合されており、
第２Ａ接続端部と第２Ｂ接続端部とは接合されている［Ａ０３］に記載の撮像装置。
［Ａ０５］《撮像装置：第２Ｂ形態》
第１Ａ接続端部と第１Ｂ接続端部とは、第１接合材料層を介して接続されており、
第２Ａ接続端部と第２Ｂ接続端部とは、第２接合材料層を介して接続されている［Ａ０３］に記載の撮像装置。
［Ａ０６］第１Ａ接続孔は、
信号線に接続され、第２構造体から離れる方向に延びる第１Ａ接続孔・第１セグメント、
第１Ｂ接続孔に近づく方向に延びる第１Ａ接続孔・第２セグメント、並びに、
第１Ａ接続孔・第１セグメントと第１Ａ接続孔・第２セグメントとを接続する第１Ａ接続孔・第３セグメント、
から成り、
第２Ａ接続孔は、
駆動線に接続され、第２構造体から離れる方向に延びる第２Ａ接続孔・第１セグメント、
第２Ｂ接続孔に近づく方向に延びる第２Ａ接続孔・第２セグメント、並びに、
第２Ａ接続孔・第１セグメントと第２Ａ接続孔・第２セグメントとを接続する第２Ａ接続孔・第３セグメント、
から成る［Ａ０２］乃至［Ａ０５］のいずれか１項に記載の撮像装置。
［Ａ０７］第１接続孔の有する静電容量は、第２接続孔の有する静電容量よりも大きい［Ａ０２］乃至［Ａ０６］のいずれか１項に記載の撮像装置。
［Ａ０８］第１接続孔の平均断面積は、第２接続孔の平均断面積よりも大きい［Ａ０２］乃至［Ａ０７］のいずれか１項に記載の撮像装置。
［Ａ０９］第１接続孔の数は、第２接続孔の数よりも多い［Ａ０２］乃至［Ａ０７］のいずれか１項に記載の撮像装置。
［Ａ１０］第１接続孔の長さは、第２接続孔の長さよりも長い［Ａ０２］乃至［Ａ０７］のいずれか１項に記載の撮像装置。
［Ａ１１］第１接続孔は、第１コア部、及び、第１接続孔の側壁と第１コア部との間に配設された第１外周部（第１外周層）から構成されており、
第２接続孔は、第１コア部を構成する材料と同じ材料から構成された第２コア部、及び、第２接続孔の側壁と第２コア部との間に配設され、第１外周部を構成する材料と同じ材料から構成された第２外周部（第２外周層）から構成されており、
第１外周部は、第２外周部よりも薄い［Ａ０２］乃至［Ａ０７］のいずれか１項に記載の撮像装置。
［Ａ１２］第１接続孔は、第１コア部、及び、第１接続孔の側壁と第１コア部との間に配設された第１外周部（第１外周層）から構成されており、
第２接続孔は、第２コア部、及び、第２接続孔の側壁と第２コア部との間に配設された第２外周部（第２外周層）から構成されており、
第１外周部を構成する材料の比誘電率の値は、第２外周部を構成する材料の比誘電率の値よりも大きい［Ａ０２］乃至［Ａ０７］のいずれか１項に記載の撮像装置。
［Ａ１３］第１の方向、及び、第１の方向とは異なる第２の方向に配列された複数の温度検出素子を備えており、
更に、第１の方向に沿って配設され、それぞれに複数の温度検出素子が接続された複数の駆動線、及び、第２の方向に沿って配設され、それぞれに複数の温度検出素子が接続された複数の信号線を備えており、
第１構造体は、温度検出素子を備えた温度検出素子アレイ領域、及び、温度検出素子アレイ領域を取り囲む周辺領域を有しており、
周辺領域において、信号線は、信号線接続部を介して駆動回路と電気的に接続されており、
周辺領域において、駆動線は、駆動線接続部を介して駆動回路と電気的に接続されている［Ａ０１］乃至［Ａ１２］のいずれか１項に記載の撮像装置。
［Ａ１４］第１の方向に配列されたＪ個（但し、Ｊ≧１）の温度検出素子を備えており、
更に、第１の方向に沿って配設され、それぞれに温度検出素子が接続されたＪ本の駆動線及びＪ本の信号線を備えており、
第１構造体は、温度検出素子を備えた温度検出素子アレイ領域、及び、温度検出素子アレイ領域を取り囲む周辺領域を有しており、
周辺領域において、信号線は、信号線接続部を介して駆動回路と電気的に接続されており、
周辺領域において、駆動線は、駆動線接続部を介して駆動回路と電気的に接続されている［Ａ０１］乃至［Ａ１２］のいずれか１項に記載の撮像装置。
［Ａ１５］温度検出素子と被覆層との間には、空所が設けられている［Ａ０１］乃至［Ａ１４］のいずれか１項に記載の撮像装置。
［Ａ１６］赤外線が入射する側には、赤外線吸収層が形成されており、
空所の底部に位置する被覆層の領域には、赤外線反射層が形成されている［Ａ１５］に記載の撮像装置。
［Ａ１７］温度検出素子は、ｐｎ接合ダイオード、ボロメータ素子、サーモパイル素子、金属膜抵抗素子、金属酸化物抵抗素子、セラミック抵抗素子、サーミスタ素子から成る［Ａ０１］乃至［Ａ１６］のいずれか１項に記載の撮像装置。
［Ａ１８］駆動回路は、少なくとも、アナログ・フロント・エンド、アナログ−デジタル変換回路、水平走査回路及び垂直走査回路を備えており、
各信号線は、アナログ・フロント・エンド及びアナログ−デジタル変換回路を介して水平走査回路に接続されており、
各駆動線は、垂直走査回路に接続されている［Ａ０１］乃至［Ａ１７」］のいずれか１項に記載の撮像装置。
［Ｂ０１］第１構造体及び第２構造体から構成されており、
第１構造体は、
第１基板、
第１基板に設けられ、赤外線に基づき温度を検出する温度検出素子、並びに、
温度検出素子に接続された駆動線及び信号線、
を備えており、
第２構造体は、
第２基板、及び、
第２基板に設けられ、被覆層によって被覆された駆動回路、
を備えており、
第１基板は、被覆層と接合されており、
温度検出素子と被覆層との間には、空所が設けられており、
駆動線及び信号線は、駆動回路と電気的に接続されている撮像装置。
［Ｂ０２］《第１構成の撮像装置》
温度検出素子と被覆層との間には空所が設けられている［Ａ０１］乃至［Ａ１８］のいずれか１項に記載の撮像装置。
［Ｂ０３］温度検出素子と温度検出素子との間に位置する第１基板の部分には、隔壁が形成されており、
隔壁の底部は、被覆層と接合されている［Ａ０１］乃至［Ｂ０２］のいずれか１項に記載の撮像装置。
［Ｂ０４］空所に露出した被覆層の露出面は、絶縁材料層、金属材料層、合金材料層及び炭素材料層から成る群から選択された少なくとも１種類の材料層から構成されており、
隔壁の側壁は、絶縁材料層、金属材料層、合金材料層及び炭素材料層から成る群から選択された少なくとも１種類の材料層から構成されている［Ｂ０３］に記載の撮像装置。
［Ｂ０５］空所に露出した被覆層の露出面は、絶縁材料層、金属材料層、合金材料層及び炭素材料層から成る群から選択された少なくとも１種類の材料層から構成されている［Ｂ０３］に記載の撮像装置。
［Ｂ０６］隔壁の側壁は、絶縁材料層、金属材料層、合金材料層及び炭素材料層から成る群から選択された少なくとも１種類の材料層から構成されている［Ｂ０３］又は［Ｂ０５］に記載の撮像装置。
［Ｂ０７］赤外線が入射する温度検出素子の側には、赤外線吸収層が形成されており、
空所の底部に位置する被覆層の領域には、赤外線反射層が形成されている［Ｂ０３］乃至［Ｂ０６］のいずれか１項に記載の撮像装置。
［Ｂ０８］赤外線吸収層は、温度検出素子の上方に形成されている［Ｂ０７］に記載の撮像装置。
［Ｂ０９］赤外線反射層は、被覆層の頂面又は被覆層の内部に形成されている［Ｂ０７］又は［Ｂ０８］に記載の撮像装置。
［Ｂ１０］赤外線吸収層が吸収すべき赤外線の波長をλIRとしたとき、赤外線吸収層と赤外線反射層との間の光学的距離Ｌ0は、
０．７５×λIR／２≦Ｌ0≦１．２５×λIR／２
又は、
０．７５×λIR／４≦Ｌ0≦１．２５×λIR／４
を満足する［Ｂ０７］乃至［Ｂ０９］のいずれか１項に記載の撮像装置。
［Ｂ１１］赤外線が入射する温度検出素子の側には、第１赤外線吸収層が形成されており、
空所の底部に位置する被覆層の領域には、赤外線反射層が形成されており、
空所と対向する温度検出素子の側には、第２赤外線吸収層が形成されている［Ｂ０３］乃至［Ｂ０６］のいずれか１項に記載の撮像装置。
［Ｂ１２］第１赤外線吸収層及び第２赤外線吸収層が吸収すべき赤外線の波長をλIRとし、第１赤外線吸収層と第２赤外線吸収層との光学的距離Ｌ1とし、第２赤外線吸収層と赤外線反射層との光学的距離をＬ2としたとき、
０．７５×λIR／４≦Ｌ1≦１．２５×λIR／４
０．７５×λIR／４≦Ｌ2≦１．２５×λIR／４
を満足する［Ｂ１１］に記載の撮像装置。
［Ｂ１３］温度検出素子と温度検出素子との間に位置する第１基板の部分と被覆層との間には、第１基板と独立して隔壁が形成されており、
隔壁の底部は、被覆層と接合されている［Ｂ０１］乃至［Ｂ０４］のいずれか１項に記載の撮像装置。
［Ｂ１４］空所に露出した被覆層の露出面は、絶縁材料層、金属材料層、合金材料層及び炭素材料層から成る群から選択された少なくとも１種類の材料層から構成されており、
隔壁は、絶縁材料層、金属材料層、合金材料層及び炭素材料層から成る群から選択された少なくとも１種類の材料層から構成されている［Ｂ１３］に記載の撮像装置。
［Ｂ１５］空所に露出した被覆層の露出面は、絶縁材料層、金属材料層、合金材料層及び炭素材料層から成る群から選択された少なくとも１種類の材料層から構成されている［Ｂ１３］に記載の撮像装置。
［Ｂ１６］隔壁は、絶縁材料層、金属材料層、合金材料層及び炭素材料層から成る群から選択された少なくとも１種類の材料層から構成されている［Ｂ１３］又は［Ｂ１５］に記載の撮像装置。
［Ｂ１７］赤外線が入射する温度検出素子の側には、赤外線吸収層が形成されており、
空所の底部に位置する被覆層の領域には、赤外線反射層が形成されている［Ｂ１３］乃至［Ｂ１６］のいずれか１項に記載の撮像装置。
［Ｂ１８］赤外線反射層は、被覆層の頂面又は被覆層の内部に形成されている［Ｂ１７］に記載の撮像装置。
［Ｂ１９］赤外線吸収層が吸収すべき赤外線の波長をλIRとしたとき、赤外線吸収層と赤外線反射層との間の光学的距離Ｌ0は、
０．７５×λIR／２≦Ｌ0≦１．２５×λIR／２
又は、
０．７５×λIR／４≦Ｌ0≦１．２５×λIR／４
を満足する［Ｂ１７］又は［Ｂ１８］に記載の撮像装置。
［Ｂ２０］赤外線が入射する温度検出素子の側には、第１赤外線吸収層が形成されており、
空所の底部に位置する被覆層の領域には、赤外線反射層が形成されており、
空所と対向する温度検出素子の側には、第２赤外線吸収層が形成されている［Ｂ１３］乃至［Ｂ１６］のいずれか１項に記載の撮像装置。
［Ｂ２１］第１赤外線吸収層及び第２赤外線吸収層が吸収すべき赤外線の波長をλIRとし、第１赤外線吸収層と第２赤外線吸収層との光学的距離Ｌ1とし、第２赤外線吸収層と赤外線反射層との光学的距離をＬ2としたとき、
０．７５×λIR／４≦Ｌ1≦１．２５×λIR／４
０．７５×λIR／４≦Ｌ2≦１．２５×λIR／４
を満足する［Ｂ２０］に記載の撮像装置。
［Ｂ２２］赤外線が入射する第１基板の面側に保護基板が配設されている［Ｂ１３］乃至［Ｂ１９］のいずれか１項に記載の撮像装置。
［Ｂ２３］赤外線に基づき温度を検出する温度検出素子ユニットを備えており、
温度検出素子ユニットは、赤外線の入射に沿って上下に配設された２つの温度検出素子から成り、
温度検出素子ユニットにおいて、各温度検出素子が検出する赤外線の波長は同じであり、又は、異なっており、又は、各温度検出素子の赤外線吸収量は異なっている［Ｂ０１］乃至［Ｂ０４］のいずれか１項に記載の撮像装置。
［Ｂ２４］被覆層には熱伝導層が形成されている［Ｂ０１］乃至［Ｂ２２］のいずれか１項に記載の撮像装置。
［Ｂ２５］被覆層には温度制御層が形成されており、
温度検知手段を更に有する［Ｂ０１］乃至［Ｂ２４］のいずれか１項に記載の撮像装置。
［Ｂ２６］温度制御層はヒータとして機能する［Ｂ２５］に記載の撮像装置。
［Ｂ２７］温度制御層は配線を兼ねている［Ｂ２６］に記載の撮像装置。
［Ｂ２８］温度検知手段の温度検知結果に基づき、駆動回路は温度制御層を制御する［Ｂ２５］乃至［Ｂ２７］のいずれか１項に記載の撮像装置。
［Ｂ２９］第１構造体は、温度検出素子を備えた温度検出素子アレイ領域、及び、温度検出素子アレイ領域を取り囲む周辺領域を備えており、
温度制御層は温度検出素子アレイ領域に形成されている［Ｂ２５］乃至［Ｂ２８］のいずれか１項に記載の撮像装置。
［Ｂ３０］温度制御層は、温度検出素子アレイ領域の正射影像が存在する被覆層の領域に形成されている［Ｂ２５］乃至［Ｂ２８］のいずれか１項に記載の撮像装置。
［Ｂ３１］駆動回路は、アナログ−デジタル変換回路を備えており、
温度検出素子アレイ領域の正射影像が存在する駆動回路の領域には、アナログ−デジタル変換回路が配設されていない［Ｂ０１］乃至［Ｂ２８］のいずれか１項に記載の撮像装置。
［Ｂ３２］複数の温度検出素子を備えており、空所は、隣接する２×ｋ個の温度検出素子（但し、ｋは１以上の整数）において共有化されている［Ｂ０１］乃至［Ｂ３１］のいずれか１項に記載の撮像装置。
［Ｂ３３］《第２構成の撮像装置》
赤外線に基づき温度を検出する温度検出素子ユニットを備えており、
温度検出素子ユニットは、複数の温度検出素子が並置されて成り、
温度検出素子ユニットにおいて、各温度検出素子が検出する赤外線の波長は異なっている撮像装置。
［Ｂ３４］各温度検出素子は、赤外線入射側に赤外線吸収層を有し、赤外線入射側とは反対側に赤外線反射層を有しており、
温度検出素子ユニットにおいて、各温度検出素子における赤外線吸収層と赤外線反射層との間の光学的距離Ｌ0は異なっており、
各温度検出素子における光学的距離Ｌ0は、温度検出素子を構成する赤外線吸収層が吸収すべき赤外線の波長をλIRとしたとき、
０．７５×λIR／２≦Ｌ0≦１．２５×λIR／２
又は、
０．７５×λIR／４≦Ｌ0≦１．２５×λIR／４
を満足する［Ｂ３３］に記載の撮像装置。
［Ｂ３５］各温度検出素子は、赤外線入射側に赤外線吸収層を有し、赤外線入射側とは反対側に赤外線反射層を有しており、
温度検出素子ユニットにおいて、各温度検出素子における赤外線吸収層を構成する材料、又は、赤外線反射層を構成する材料、構成、構造、又は、赤外線吸収層を構成する材料、構成、構造及び赤外線反射層を構成する材料、構成、構造は、異なっている［Ｂ３３］又は［Ｂ３４］に記載の撮像装置。
［Ｂ３６］《第３構成の撮像装置》
赤外線に基づき温度を検出する温度検出素子ユニットを備えており、
温度検出素子ユニットは、複数の温度検出素子が並置されて成り、
温度検出素子ユニットにおいて、各温度検出素子の赤外線吸収量は異なっている撮像装置。
［Ｂ３７］各温度検出素子は、赤外線入射側に赤外線吸収層を有し、赤外線入射側とは反対側に赤外線反射層を有しており、
温度検出素子ユニットにおいて、各温度検出素子における赤外線吸収層を構成する材料、又は、赤外線反射層を構成する材料、又は、赤外線吸収層を構成する材料及び赤外線反射層を構成する材料は、異なっている［Ｂ３６］に記載の撮像装置。
［Ｂ３８］各温度検出素子は、赤外線入射側に赤外線吸収層を有し、赤外線入射側とは反対側に赤外線反射層を有し、
温度検出素子ユニットにおいて、各温度検出素子における赤外線吸収層、又は、赤外線反射層、又は、赤外線吸収層及び赤外線反射層の面積、又は、厚さ、又は、面積及び厚さは異なっている［Ｂ３６］又は［Ｂ３７］に記載の撮像装置。
［Ｂ３９］駆動回路において、各信号線は、アナログ・フロント・エンド及びアナログ−デジタル変換回路に接続されている［Ｂ０１］乃至［Ｂ３８］のいずれか１項に記載の撮像装置。
［Ｂ４０］アナログ・フロント・エンドは差動積分回路を有し、
差動積分回路と信号線との間に、差動積分回路と信号線との導通状態を制御するスイッチ手段が設けられている［Ｂ３９］に記載の撮像装置。
［Ｂ４１］スイッチ手段は、差動積分回路と信号線との間を不導通状態とするとき、信号線を固定電位とする［Ｂ４０］に記載の撮像装置。
［Ｂ４２］《第４構成の撮像装置》
赤外線に基づき温度を検出する温度検出素子ユニットを備えており、
温度検出素子ユニットは、赤外線の入射に沿って上下に配設された２つの温度検出素子から成り、
温度検出素子ユニットにおいて、各温度検出素子が検出する赤外線の波長は同じであり、又は、異なっており、又は、各温度検出素子の赤外線吸収量は異なっている撮像装置。
［Ｂ４３］《第５構成の撮像装置》
第１の方向、及び、第１の方向とは異なる第２の方向に、Ｍ0×Ｎ0個（但し、Ｍ0≧２，Ｎ0≧２）、配列された、赤外線に基づき温度を検出する温度検出素子、
第１の方向に沿って配設された複数の駆動線、
第２の方向に沿って配設されたＮ0×Ｐ0本（但し、Ｐ0≧２）の信号線、
複数の駆動線が接続された第１駆動回路、及び、
Ｎ0×Ｐ0本の信号線が接続された第２駆動回路、
を備えており、
各温度検出素子は、第１端子部及び第２端子部を備えており、
各温度検出素子の第１端子部は、駆動線に接続されており、
第（ｎ，ｐ）番目の信号線（但し、ｎ＝１，２・・・，Ｎ0、ｐ＝１，２・・・，Ｐ0）は、第２の方向に沿って配設された第ｎ番目のＮ0個の温度検出素子から構成された温度検出素子群における第｛（ｑ−１）Ｐ0＋ｐ｝番目の温度検出素子（但し、ｑ＝１，２，３・・・）の第２端子部に接続されている撮像装置。
［Ｂ４４］複数の駆動線の本数は、Ｍ0／Ｐ0であり、
第ｍ番目の駆動線（但し、ｍ＝１、２・・・，Ｍ0／Ｐ0）は、第１の方向に沿って配設された第｛（ｍ−１）Ｐ0＋ｐ’｝番目のＭ0個の温度検出素子（但し、ｐ’＝１，２・・・Ｐ0の全ての値）から構成された温度検出素子群に共通である［Ｂ４３］に記載の撮像装置。
［Ｂ４５］第２駆動回路において、各信号線は、アナログ・フロント・エンド及びアナログ−デジタル変換回路に接続されており、
アナログ・フロント・エンドは差動積分回路を有する［Ｂ４３］又は［Ｂ４４］に記載の撮像装置。
［Ｂ４６］第２駆動回路において、各信号線は、アナログ・フロント・エンド及びアナログ−デジタル変換回路に接続されている［Ｂ４３］又は［Ｂ４４］に記載の撮像装置。
［Ｂ４７］アナログ・フロント・エンドは差動積分回路を有する［Ｂ４６］に記載の撮像装置。
［Ｂ４８］温度検出素子は、温度検出素子用基板に設けられた空所の上方に配設されており、
温度検出素子用基板に設けられた第１接続部と、温度検出素子の第１端子部とは、第１スタッド部（支持脚あるいは細長い梁）を介して接続されており、
温度検出素子用基板に設けられた第２接続部と、温度検出素子の第２端子部とは、第２スタッド部（支持脚あるいは細長い梁）を介して接続されている［Ｂ４３］乃至［Ｂ４７］のいずれか１項に記載の撮像装置。
［Ｂ４９］Ｐ0＝２であり、
第２の方向に隣接する２つの温度検出素子のそれぞれの第２端子部は、１つの第２スタッド部（支持脚あるいは細長い梁）を介して温度検出素子用基板に設けられた第２接続部に接続されており、
第１の方向に隣接する２つの温度検出素子と、第２の方向に隣接する２つの温度検出素子の、合計４つの温度検出素子のそれぞれの第１端子部は、１つの第１スタッド部（支持脚あるいは細長い梁）を介して温度検出素子用基板に設けられた第１接続部に接続されている［Ｂ４８］に記載の撮像装置。
［Ｂ５０］《第６構成の撮像装置》
第１の方向、及び、第１の方向とは異なる第２の方向に、Ｓ0×Ｔ0個（但し、Ｓ0≧２，Ｔ0≧２）、配列された、赤外線に基づき温度を検出する温度検出素子、
第１の方向に沿って配設されたＳ0×Ｕ0本（但し、Ｕ0≧２）の駆動線、
第２の方向に沿って配設された複数の信号線、
Ｓ0×Ｕ0本の駆動線が接続された第１駆動回路、及び、
複数の信号線が接続された第２駆動回路、
を備えており、
各温度検出素子は、第１端子部及び第２端子部を備えており、
各温度検出素子の第２端子部は、信号線に接続されており、
第（ｓ，ｕ）番目の駆動線（但し、ｓ＝１，２・・・，Ｓ0、ｕ＝１，２・・・，Ｕ0）は、第１の方向に沿って配設された第ｓ番目のＳ0個の温度検出素子から構成された温度検出素子群における第｛（ｔ−１）Ｕ0＋ｕ｝番目の温度検出素子（但し、ｔ＝１，２，３・・・）の第１端子部に接続されている撮像装置。
［Ｂ５１］第２駆動回路において、各信号線は、アナログ・フロント・エンド及びアナログ−デジタル変換回路に接続されている［Ｂ５０］に記載の撮像装置。
［Ｂ５２］温度検出素子は、ｐｎ接合ダイオード、ボロメータ素子、サーモパイル素子、金属膜抵抗素子、金属酸化物抵抗素子、セラミック抵抗素子、サーミスタ素子から成る［Ｂ０１］乃至［Ｂ５１］のいずれか１項に記載の撮像装置。
［Ｂ５３］集光素子を更に備えている［Ｂ０１］乃至［Ｂ５２］のいずれか１項に記載の撮像装置。
［Ｂ５４］遮光部を更に備えている［Ｂ０１］乃至［Ｂ５３］のいずれか１項に記載の撮像装置。
［Ｂ５５］第１基板、又は、第２基板、又は、第１基板及び第２基板には、半導体温度センサ素子が形成されている［Ｂ０１］乃至［Ｂ５４］のいずれか１項に記載の撮像装置。
［Ｂ５６］温度検出素子に隣接して、温度参照用の温度検出素子が配設されている［Ｂ０１］乃至［Ｂ５５］のいずれか１項に記載の撮像装置。
［Ｂ５７］温度参照用の温度検出素子は、赤外線吸収層を備えておらず、又は、赤外線吸収層及び赤外線反射層を備えていない［Ｂ５６］に記載の撮像装置。
［Ｃ０１］《撮像装置におけるノイズ低減方法》
赤外線に基づき温度を検出する温度検出素子、
温度検出素子が接続された駆動線、及び、
温度検出素子が接続された信号線、
を備えており、
駆動線が接続された第１駆動回路、信号線が接続された第２駆動回路、記憶装置を更に備えており、
第２駆動回路において、信号線は差動積分回路及びアナログ−デジタル変換回路に接続されている撮像装置におけるノイズ低減方法であって、
温度検出素子を不作動の状態として、差動積分回路をリセットし、次いで、
温度検出素子を不作動の状態として、温度検出素子が作動状態にある時間ＴＭ0と同じ時間ＴＭ0だけ信号線に定電流を流し、信号線の電圧を差動積分回路において積分し、得られた積分値をアナログ−デジタル変換回路においてデジタル値に変換し、得られたデジタル値をオフセット値として記憶装置に記憶しておき、
温度検出素子を、時間ＴＭ0だけ、動作状態として、信号線の電圧を差動積分回路において積分し、得られた積分値をアナログ−デジタル変換回路においてデジタル値に変換してデジタル信号値を得た後、デジタル信号値からオフセット値を減じる、
各工程から成る撮像装置におけるノイズ低減方法。
【符号の説明】
【０１８８】
１０，１０Ａ・・・撮像装置、１１・・・温度検出素子アレイ領域、１３・・・中央領域、１２，１４・・・周辺領域、１５，２１５，１５Ａ，１５Ｂ，１５Ｃ，６１５Ａ，６１５Ｂ，７１５Ａ，７１５Ｂ・・・温度検出素子、２０・・・第１構造体、２１，２２１・・・第１基板（温度検出素子用基板）、２２１Ａ・・・第１基板の第２面、２２２・・・保護基板、２１Ｂ，２２１Ｂ・・・第１基板の第２面、２２・・・シリコン層、２２Ａ・・・シリコン層から延びる凸部、２３，２２３・・・隔壁、２４・・・隔壁の側壁、２４Ａ・・・凸部の側壁、２５Ａ・・・ダイヤフラム部（架空部、架空薄層部）、２５Ｂ・・・絶縁材料層、２５Ｃ・・・第１スタッド部、２５Ｄ・・・第２スタッド部、２６，２７・・・絶縁膜、３０・・・ｐｎ接合ダイオード、３１・・・配線、４０・・・第２構造体、４１・・・第２基板、４１’・・・第２基板の下面、４２・・・駆動回路が形成された層、４２’・・・駆動回路が形成された層に設けられた各種配線あるいは配線層、４３・・・被覆層（層間絶縁層）、５０・・・空所、５１・・・空洞、６１，６１Ａ，６１Ｂ，６１Ｃ，６１Ｄ・・・赤外線吸収層、６２，６２Ａ，６２Ｂ・・・赤外線反射層、６３・・・熱伝導層、６４・・・温度制御層（ヒータ）、６５，６６，６７・・・集光素子（レンズ）、６８・・・遮光部、７１，７１Ａ，７１1,1，７１2,1，７１3,1，７１Ｂ，７１1,2，７１2,2，７１3,2・・・信号線、７２，７２Ａ，７２1,1，７２2,1，７２3,1，７２Ｂ，７２1,2，７２2,2，７２3,3・・・駆動線、７３・・・コンタクトホール、８１・・・垂直走査回路、８２・・・定電流回路、８３，８３ａ，８３ｂ・・・アナログ・フロント・エンド（ＡＦＥ）、８３Ａ・・・差動積分回路、８３Ｂ・・・配線、８３Ｃ・・・定電流回路、８３Ｄ・・・スイッチ手段、８４・・・サンプルホールド回路、８５，８５ａ，８５ｂ・・・アナログ−デジタル変換回路（ＡＤＣ）、８６・・・水平走査回路、９０・・・ＳＯＩ基板、９１・・・第１シリコン層、９２・・・ＳｉＯ2層、９３・・・第２シリコン層、９４・・・第１犠牲層、９５・・・第２犠牲層、９６・・・支持基板、９７・・・犠牲層、１００・・・信号線接続部、１００1，１１０1・・・コア部、１００2，１１０2・・・外周部（外周層）、１００3，１１０3・・・接続孔の側壁、１００’・・・第１接続孔、１０１・・・第１信号線接続部、１０２・・・第１Ａ接続孔、１０３・・・第１Ａ接続孔・第１セグメント、１０４・・・第１Ａ接続孔・第２セグメント、１０５・・・第１Ａ接続孔・第３セグメント、１０６・・・第２信号線接続部、１０７・・・第１Ｂ接続孔、１１０・・・駆動線接続部、１１０’・・・第２接続孔、１１１・・・第１駆動線接続部、１１２・・・第２Ａ接続孔、１１３・・・第２Ａ接続孔・第１セグメント、１１４・・・第２Ａ接続孔・第２セグメント、１１５・・・第２Ａ接続孔・第３セグメント、１１６・・・第２駆動線接続部、１１７・・・第２Ｂ接続孔、１２１，１２２・・・接続用配線、１２３・・・半田ボール、１２４・・・ソルダーレジスト層、１３２・・・第１Ａ接続孔、１３３・・・第１Ａ接続端部、１３５・・・第１Ｂ接続孔、１３６・・・第１Ｂ接続端部、１３７・・��第１接合材料層、１４２・・・第２Ａ接続孔、１４３・・・第２Ａ接続端部、１４５・・・第２Ｂ接続孔、１４６・・・第２Ｂ接続端部、１４７・・・第２接合材料層、３０１・・・レンズ、３０２・・・シャッター、３０３・・・撮像装置、３０４・・・駆動回路、３０５・・・電源部、３０６・・・記憶媒体、３０７・・・ビデオ出力部、３０８・・・各種インターフェース
【図１】
2019069559.tif 000003
【図２】
2019069559.tif 000004
【図３】
2019069559.tif 000005
【図４】
2019069559.tif 000006
【図５】
2019069559.tif 000007
【図６】
2019069559.tif 000008
【図７】
2019069559.tif 000009
【図８】
2019069559.tif 000010
【図９】
2019069559.tif 000011
【図１０】
2019069559.tif 000012
【図１１】
2019069559.tif 000013
【図１２】
2019069559.tif 000014
【図１３】
2019069559.tif 000015
【図１４】
2019069559.tif 000016
【図１５】
2019069559.tif 000017
【図１６】
2019069559.tif 000018
【図１７】
2019069559.tif 000019
【図１８】
2019069559.tif 000020
【図１９】
2019069559.tif 000021
【図２０】
2019069559.tif 000022
【図２１】
2019069559.tif 000023
【図２２】
2019069559.tif 000024
【図２３】
2019069559.tif 000025
【図２４】
2019069559.tif 000026
【図２５】
2019069559.tif 000027
【図２６】
2019069559.tif 000028
【図２７】
2019069559.tif 000029
【図２８】
2019069559.tif 000030
【図２９】
2019069559.tif 000031
【図３０】
2019069559.tif 000032
【図３１】
2019069559.tif 000033
【図３２】
2019069559.tif 000034
【図３３】
2019069559.tif 000035
【図３４】
2019069559.tif 000036
【図３５】
2019069559.tif 000037
【図３６】
2019069559.tif 000038
【図３７】
2019069559.tif 000039
【図３８】
2019069559.tif 000040
【図３９】
2019069559.tif 000041
【図４０】
2019069559.tif 000042
【図４１】
2019069559.tif 000043
【図４２】
2019069559.tif 000044
【図４３】
2019069559.tif 000045
【図４４】
2019069559.tif 000046
【図４５】
2019069559.tif 000047
【図４６】
2019069559.tif 000048
【図４７】
2019069559.tif 000049
【国際調査報告】
2019069559.tif 000050
2019069559.tif 000051
2019069559.tif 000052
2019069559.tif 000053